【誤訳訂正書】
【提出日】平成27年7月31日(2015.7.31)
【誤訳訂正１】
【訂正対象書類名】特許請求の範囲
【訂正対象項目名】全文
【訂正方法】変更
【訂正の内容】
【特許請求の範囲】
【請求項１】
デュアルパネルディスプレイであって、
画像生成パネルと、
少なくとも１つのコントラスト強調パネルと、
バックライトであって、前記バックライトは、前記バックライトからの光が、前記コントラスト強調パネル及び前記画像生成パネルのうちの第１のパネルを照明するように配置され、前記コントラスト強調パネル及び前記画像生成パネルのうちの前記第１のパネルを透過された光が、前記コントラスト強調パネル及び前記画像生成パネルのうちの他方のパネルを照明する、前記バックライトと、
前記コントラスト強調パネルと前記画像生成パネルとの間にある偏光保存拡散器と、
前記バックライトと、前記画像生成パネル及び前記コントラスト強調パネルのうちの前記第１のパネルとの間にあるクロスＢＥＦコリメータと、
前記クロスＢＥＦコリメータと前記コントラスト強調パネル及び前記画像生成パネルのうちの前記第１のパネルとの間に配置された反射偏光子と
を備え、前記コントラスト強調パネルが、初期偏光子と検光偏光子との間の能動層を含み、前記画像生成パネルが、初期偏光子と検光偏光子との間の能動層を含み、
前記クロスＢＥＦコリメータは、少なくとも第１のＢＥＦコリメータ要素及び第２のＢＥＦコリメータ要素を含み、
前記第１のＢＥＦコリメータ要素は、光をコリメートして前記第２のＢＥＦコリメータ要素に向けて光を伝搬させ、かつ前記第１のＢＥＦコリメータ要素に入射する他の光を前記バックライトに向けて反射して戻すか、またはコリメートせずに透過させ、
前記クロスＢＥＦコリメータ及び前記反射偏光子は、前記クロスＢＥＦコリメータに鈍角で入射する光をコリメートして偏光し、他の角度で前記クロスＢＥＦコリメータに入射した光をリサイクルする、前記デュアルパネルディスプレイ。
【請求項２】
前記コントラスト強調パネルが、前記バックライトと前記画像生成パネルとの間に配置され、前記コントラスト強調パネルが、特定の偏光を有する変調光を透過するように構成され、前記偏光保存拡散器が、前記変調光の偏光を保ちながら前記変調光を拡散するように構成され、かつ方向付けられている、請求項１に記載のデュアルパネルディスプレイ。
【請求項３】
前記反射偏光子は、前記クロスＢＥＦコリメータと前記コントラスト強調パネルとの間に配置され、前記反射偏光子は、前記反射偏光子によって透過される光の偏光が、前記初期偏光子によって透過される光の偏光と一致するように、前記コントラスト強調パネルの前記初期偏光子に対して方向付けられている、請求項２に記載のデュアルパネルディスプレイ。
【請求項４】
前記反射偏光子が、ＤＢＥＦ−Ｄフィルムである、請求項３に記載のデュアルパネルディスプレイ。
【請求項５】
前記反射偏光子と、前記コントラスト強調パネルの前記初期偏光子と、前記コントラスト強調パネルの前記能動層と、前記コントラスト強調パネルの前記検光偏光子とが、一体に積層され、前記画像生成パネルの前記初期偏光子と、前記画像生成パネルの前記能動層と、前記画像生成パネルの前記検光偏光子とが一体に積層されている、請求項３に記載のデュアルパネルディスプレイ。
【請求項６】
前記画像生成パネルが、前記バックライトと前記コントラスト強調パネルとの間に配置され、前記画像生成パネルが、特定の偏光を有する変調光を透過するように構成され、前記偏光保存拡散器が、前記変調光の偏光を保ちながら前記変調光を拡散するように構成され、かつ方向付けられている、請求項１に記載のデュアルパネルディスプレイ。
【請求項７】
前記反射偏光子は、前記クロスＢＥＦコリメータと前記画像生成パネルとの間に配置され、前記反射偏光子は、前記反射偏光子によって透過される光の偏光が前記初期偏光子によって透過される光の偏光と一致するように、前記画像生成パネルの前記初期偏光子に対して方向付けられている、請求項６に記載のデュアルパネルディスプレイ。
【請求項８】
前記反射偏光子が、ＤＢＥＦ−Ｄフィルムである、請求項７に記載のデュアルパネルディスプレイ。
【請求項９】
前記反射偏光子と、前記画像生成パネルの前記初期偏光子と、前記画像生成パネルの前記能動層と、前記画像生成パネルの前記検光偏光子とが、一体に積層され、前記コントラスト強調パネルの前記初期偏光子と、前記コントラスト強調パネルの前記能動層と、前記コントラスト強調パネルの前記検光偏光子とが、一体に積層されている、請求項７に記載のデュアルパネルディスプレイ。
【請求項１０】
前記偏光保存拡散器が、ホログラフィ拡散器である、請求項１に記載のデュアルパネルディスプレイ。
【請求項１１】
前記デュアルパネルディスプレイが、ハイダイナミックレンジのディスプレイとして実装されている、請求項１に記載のデュアルパネルディスプレイ。
【請求項１２】
前記デュアルパネルディスプレイが、デュアルＬＣＤパネルディスプレイであり、前記画像生成パネルが、カラーＬＣＤパネルであり、前記コントラスト強調パネルが、無彩色ＬＣＤパネルである、請求項１に記載のデュアルパネルディスプレイ。
【請求項１３】
前記無彩色ＬＣＤパネルが、前記バックライトと前記カラーＬＣＤパネルとの間に配置され、前記無彩色ＬＣＤパネルが、特定の偏光を有する変調光を透過するように構成され、前記偏光保存拡散器が、前記変調光の偏光を保ちながら前記変調光を拡散するように構成され、かつ方向付けられ、前記カラーＬＣＤパネルが、入力偏光を有する光を変調するように構成され、前記無彩色ＬＣＤパネルによって透過される前記変調光の偏光が、前記カラーＬＣＤパネルの前記入力偏光と一致する、請求項１２に記載のデュアルパネルディスプレイ。
【請求項１４】
前記反射偏光子は、前記クロスＢＥＦコリメータと前記無彩色ＬＣＤパネルとの間に配置され、前記反射偏光子は、前記反射偏光子によって透過される光の偏光が前記初期偏光子によって透過される光の偏光と一致するように、前記無彩色ＬＣＤパネルの前記初期偏光子に対して方向付けられている、請求項１３に記載のデュアルパネルディスプレイ。
【請求項１５】
前記反射偏光子が、ＤＢＥＦ−Ｄフィルムである、請求項１４に記載のデュアルパネルディスプレイ。
【請求項１６】
前記反射偏光子と、前記無彩色ＬＣＤパネルの前記初期偏光子と、前記無彩色ＬＣＤパネルの前記能動層と、前記無彩色ＬＣＤパネルの前記検光偏光子とが、一体に積層され、前記カラーＬＣＤパネルの前記初期偏光子と、前記カラーＬＣＤパネルの前記能動層と、前記カラーＬＣＤパネルの前記検光偏光子とが、一体に積層されている、請求項１４に記載のデュアルパネルディスプレイ。
【請求項１７】
前記カラーＬＣＤパネルが、前記バックライトと前記無彩色ＬＣＤパネルとの間に配置され、前記カラーＬＣＤパネルが、特定の偏光を有する変調光を透過するように構成され、前記偏光保存拡散器が、前記変調光の偏光を保ちながら前記変調光を拡散するように構成され、かつ方向付けられている、請求項１２に記載のデュアルパネルディスプレイ。
【請求項１８】
前記反射偏光子は、前記クロスＢＥＦコリメータと前記カラーＬＣＤパネルとの間に配置され、前記反射偏光子は、前記反射偏光子によって透過される光の偏光が前記初期偏光子によって透過される光の偏光と一致するように、前記カラーＬＣＤパネルの前記初期偏光子に対して方向付けられている、請求項１７に記載のデュアルパネルディスプレイ。
【請求項１９】
前記反射偏光子が、ＤＢＥＦ−Ｄフィルムである、請求項１８に記載のデュアルパネルディスプレイ。
【請求項２０】
前記反射偏光子と、前記カラーＬＣＤパネルの前記初期偏光子と、前記カラーＬＣＤパネルの前記能動層と、前記カラーＬＣＤパネルの前記検光偏光子とが、一体に積層され、前記無彩色ＬＣＤパネルの前記初期偏光子と、前記無彩色ＬＣＤパネルの前記能動層と、前記無彩色ＬＣＤパネルの前記検光偏光子とが、一体に積層されている、請求項１８に記載のデュアルパネルディスプレイ。
【請求項２１】
前記無彩色ＬＣＤパネルの前記能動層が、カラーフィルタのないセルのアレイであり、前記カラーＬＣＤパネルの前記能動層が、カラーフィルタを有するセルのアレイである、請求項１２に記載のデュアルパネルディスプレイ。
【請求項２２】
前記偏光保存拡散器が、ホログラフィ拡散器である、請求項１２に記載のデュアルパネルディスプレイ。
【請求項２３】
前記デュアルパネルディスプレイが、ハイダイナミックレンジのディスプレイとして実装されている、請求項１２に記載のデュアルパネルディスプレイ。
【誤訳訂正２】
【訂正対象書類名】明細書
【訂正対象項目名】全文
【訂正方法】変更
【訂正の内容】
【発明の詳細な説明】
【発明の名称】クロスＢＥＦコリメータおよび偏光保存拡散器を備えるデュアルパネルディスプレイ
【技術分野】
【０００１】
実施形態の一類において、本発明は、２つの変調ＬＣＤパネル、すなわち無彩色ＬＣＤパネルとカラーＬＣＤパネルを含むデュアルＬＣＤパネルディスプレイに関する。実施形態の一類において、本発明によるデュアルＬＣＤパネルディスプレイは、無彩色ＬＣＤパネルと、カラーＬＣＤパネルと、バックライトアセンブリと、バックライトアセンブリとカラーＬＣＤパネルおよび無彩色ＬＣＤパネルの一方との間にあるクロスＢＥＦ（「明るさ向上フィルム」）コリメータと、無彩色ＬＣＤパネルとカラーＬＣＤパネルとの間にある偏光保存拡散器とを含む。
【背景技術】
【０００２】
特許請求の範囲に含まれる本開示を通じて、信号またはデータ「に対する」操作（例えば、信号またはデータのフィルタリング、スケーリング、または変換）を行うという表現は、信号またはデータに対して直接操作を行う、または、信号もしくはデータの処理されたバージョン（例えば、操作の実施前に予備フィルタリングが行われた信号のバージョン）に対して操作を行うことを表すために、広範な意味で使用される。
【０００３】
特許請求の範囲に含まれる本開示を通じて、名詞「ディスプレイ」と表現「ディスプレイスクリーン」は、同義で使用される。表現「ハイダイナミックレンジ」のディスプレイ（ＨＤＲディスプレイ）は、本明細書では、８００：１よりも大きいダイナミックレンジを有するディスプレイを表す。近年の技術進歩により、１００００００：１を超えるコントラスト比を求めるディスプレイが製造されている。
【０００４】
特許請求の範囲に含まれる本開示を通じて、表現「デュアルＬＣＤパネルディスプレイ」は、２つの変調ＬＣＤパネル（無彩色ＬＣＤパネルとカラーＬＣＤパネル）と、ＬＣＤパネルを照明するためのバックライトシステムとを含むディスプレイシステムを表すために使用される。バックライトシステムは、空間的に可変なバックライトシステム（例えば、個別に制御可能なＬＣＤのアレイを備える空間的に可変なバックライトパネル、または他の空間的に可変なバックライトパネル）または固定バックライトでよい。無彩色ＬＣＤパネルとカラーＬＣＤパネルは、一方のＬＣＤパネル（「第１の」ＬＣＤパネル）がバックライトシステムによって背面照明され、他方のＬＣＤパネルが、第１のＬＣＤパネルを透過された光によって背面照明されるように配置される。バックライトシステムが空間的に可変なバックライトシステムであるデュアルＬＣＤパネルディスプレイが、本明細書で定義する「デュアル変調ディスプレイ」の一例である。
【０００５】
本開示を通じて、表現「デュアル変調ディスプレイ」は、変調前面ＬＣＤパネルシステムと、前面ＬＣＤパネルシステムを背面照明するための空間的に可変なバックライトシステム（例えば、個別に制御可能なＬＥＤのアレイを備える空間的に可変なバックライトパネル、または別の空間的に可変なバックライトパネル）とを含むディスプレイシステムを表すために使用される。デュアル変調ディスプレイの変調前面ＬＣＤパネルシステムの例は、（限定はしないが）ＬＣＤ素子のアレイを備える単一のＬＣＤパネルと、２つのＬＣＤパネル（無彩色ＬＣＤパネルとカラーＬＣＤパネル）とを含み、上記２つのＬＣＤパネルは、一方のＬＣＤパネル（「第１の」ＬＣＤパネル）がバックライトシステムによって背面照明され、他方のＬＣＤパネルが、第１のＬＣＤパネルを透過された光によって背面照明されるように配置される。
【０００６】
本明細書で「一軸対称性」を有するフィルムまたは層である光学要素は、少なくとも実質的に平坦な主面を有し、（主面に垂直な）１つの垂直軸と、垂直軸に垂直な２つの直交軸（本明細書では、簡便にするために時として「表面」軸または「Ｘ」および「Ｙ」表面軸と表す）とを有する光学要素を示し、ここで、フィルムまたは層の光学特性は、第１の表面軸（「Ｘ」表面軸）に対して少なくとも実質的に一様であるが、他方の表面軸（「Ｙ」表面軸）に対しては一様でない。主面は、「少なくとも実質的に平坦」でよいが、表面フィーチャ（例えばリッジ）を有し、表面フィーチャは、光学要素の全体サイズに比べて小さく、そのようなフィーチャの（小さな）長さスケールで表面を平坦でなくす。「一軸対称性」を有するフィルムまたは層である光学要素は、その垂直軸に直交する平面内で放射対称性を有さない。光学システム（例えばデュアルＬＣＤパネルディスプレイ）での使用時、「一軸対称性」を有するフィルムまたは層である光学要素は、典型的には、その垂直軸がシステムの光軸と少なくとも実質的に位置合わせされるように方向付けられる。
【０００７】
本明細書において、表現「ＢＥＦ」（または「明るさ向上フィルム（ｂｒｉｇｈｔｎｅｓｓ  ｅｎｈａｎｃｉｎｇ  ｆｉｌｍ）」）は、一軸対称性を有するフィルムまたは層であって、光学要素の垂直軸と、光学要素の第１の表面軸（例えば「Ｘ」表面軸）とによって定義される平面内での光の入射角に応じて（第１の伝達関数に従って）入射光を選択的に透過および／または反射するように構成され、しかし、垂直軸と他方の表面軸（例えば「Ｙ」表面軸）とによって定義される直交面での入射角に依存する（別の伝達関数に従う）透過率および反射率も有するように構成される光学要素を表す。ＢＥＦは、フィーチャ（例えばリッジ）を有することがあり、フィーチャは、ＢＥＦの主面の全体的な寸法に比べて小さく、垂直軸に平行な表面内に／表面から外に延びる。したがって、ＢＥＦは、その両方の直交表面軸に関して同じコリメーション機能を有さない。しかし、主面が互いに平行であり、「Ｘ」表面軸は互いに９０度ずれるように方向付けられた２つの個別のＢＥＦからなる光学要素は、その両方の直交表面軸に関して同じコリメーション機能を有することができる。
【０００８】
典型的なＢＥＦは、プリズム表面パターンをインプリントされた（例えばポリマー材料からなる）シートであり、このパターンは、シートの垂直軸から内側および外側に延びる鋸歯パターンに類似する。これらのプリズムにより、ＢＥＦは、高い入射角では入射しない（例えばＬＣＤディスプレイのバックライトからの）入射光を再指向（反射）し、高い入射角で入射する光（例えばＢＥＦの垂直軸にほぼ垂直に伝播する光）を透過させる。ＢＥＦで反射された光は、他の要素で再び反射されることがあり、それにより再びＢＥＦに入射するが、この時にはＢＥＦを透過されるような入射角である（例えば、ＢＥＦを含むバックライト式ＬＣＤディスプレイシステムによって表示される画像の明るさを、ＢＥＦがディスプレイシステムから省かれた場合に画像が有するであろう明るさに比べて高める）。
【０００９】
ＢＥＦの一例は、「ＤＢＥＦ」（デュアルＢＥＦ）フィルムである。典型的なＤＢＥＦは、（前の段落で述べたように）シートの垂直軸から内側および外側に延びるプリズム表面パターンをインプリントされた（例えばポリマー材料からなる）シートであり、また、プリズムに入射するが、透過に適正な角度ではない光を（反射によって）リサイクルするための追加の反射層も含む。
【００１０】
ＢＥＦの別の例は、「ＢＥＦ−Ｄ」（ＢＥＦ拡散）フィルムであり、これは、ＢＥＦ層（例えばＤＢＥＦ層。この場合、ＢＥＦ−Ｄフィルムは、「ＤＢＥＦ−Ｄ」フィルムと呼ばれることがある）と、少なくとも１つの拡散層とを含む多層フィルムである。バックライト式ＬＣＤディスプレイシステムでの使用時、ＢＥＦ−Ｄは、ＢＥＦ−ＤフィルムでないＢＥＦフィルムによってＢＥＦ−Ｄが交換された場合にディスプレイシステムで実現することができる視野角よりも広い視野角を提供することができる。
【００１１】
デュアルＬＣＤパネルディスプレイ、他のデュアルパネルディスプレイ、およびハイダイナミックレンジディスプレイのいくつかの実施形態が、Ｇｏｐａｌ  ＥｒｉｎｊｉｐｐｕｒａｔｈおよびＪｏｈｎ  Ｇｉｌｂｅｒｔによる２０１０年５月１４日出願の米国特許出願第１２／７８０，７４９号に記載されている。デュアルＬＣＤパネルディスプレイの無彩色ＬＣＤパネルおよびカラーＬＣＤパネルを駆動するためのいくつかの方法およびシステムが、上記の出願に記載されている。米国特許出願第１２／７８０，７４９号には、拡散器、コリメータ、明るさ向上フィルム（ＢＥＦ）、およびデュアル明るさ向上フィルム（ＤＢＥＦ）の任意のものを含めた様々な光学要素を、そのようなデュアルＬＣＤパネルディスプレイの光／画像チェーン内の実質的に任意の点に配置することができることが述べられている。
【００１２】
コントラスト比は、ディスプレイが生成することができる最も暗い色に対する最も明るい色の比と定義される。正確な画像再生には高いコントラスト比が望ましいが、従来のディスプレイではしばしば制限される。１つの従来のディスプレイは、液晶ディスプレイ（ＬＣＤ）パネルと、ＬＣＤパネルの後方に配設されたバックライト、典型的には低陰極蛍光管（ＣＣＦＬ）とからなる。ディスプレイコントラスト比は、ＬＣＤコントラスト比によって設定され、典型的には１０００：１未満である。デュアルＬＣＤパネルディスプレイは、ただ１つのＬＣＤパネルのみを含む従来のディスプレイまたはデュアル変調ディスプレイが提供することができるよりも高いコントラスト比を提供することができる。
【００１３】
デュアル変調ディスプレイまたはデュアルＬＣＤパネルディスプレイが、空間的に可変なバックライトシステムを含むとき、最適なバックライトを実現するようにバックライト駆動値（例えばＬＥＤ駆動値）を選択すべきであり、そのような最適なバックライトの実現は、視覚アーチファクト（例えば、白色クリッピング、黒色クリッピング、およびハロー）およびこれらのアーチファクトの時間変化を最小限にしながらコントラストを最大にし、エネルギー効率を最大にすることを含む。理想的な解決策は、所与の用途に関してこれらの基準のバランスを図る。好ましくは、バックライト駆動値は、バックライトシステムを制御して、ディスプレイアーチファクト、例えば、明るいピクセルのクリッピング、暗いピクセルのクリッピング、および輪郭処理、ならびに運動および画像変形に伴う出力変化を緩和する。
【００１４】
空間的に可変なＬＥＤバックライトシステムを含むデュアル変調ディスプレイでは、ＬＣＤ前面パネルシステムでのコントラストは、ＬＥＤバックライトのコントラストによる乗算によって増加される。通常、バックライト層は、低解像度バージョンの画像に対応する光を放出し、（より高い解像度を有する）ＬＣＤ前面パネルシステムは、高解像度バージョンの画像を表示するように（バックライト層からの光を選択的に阻止することによって）光を透過する。実際、高解像度の「画像」と低解像度の「画像」は、光学的に乗算される。
【００１５】
空間的に可変なＬＥＤバックライトシステムを含むデュアル変調ディスプレイでは、典型的には、近くのＬＣＤピクセルが同様の背面照明を有する。入力画像がＬＣＤパネルのコントラスト範囲を超えるピクセル値を含む場合、バックライトは、すべてのＬＣＤピクセルに関して最適なわけではない。典型的には、ＬＣＤパネルの局所領域に関する背面照明レベルの選択は、その領域内でのすべてのＬＣＤピクセルに関して最適なわけではない。いくつかのＬＣＤピクセルに関しては、バックライトが高すぎることがあり、他のものに関しては、バックライトが低すぎることがある。背面照明は、知覚の観点から入力信号を最良に表現するように設定すべきであり、すなわち、バックライトレベルは、明るいピクセルおよび暗いピクセルの最良の知覚的表現を可能にするように選択すべきである。これらは、どちらも正確には表現できないことが多い。
【００１６】
背面照明が高すぎる場合、黒を含めた正確な低レベルが補償される。最小ＬＣＤ透過率に近いＬＣＤ値を必要とする入力画像ピクセル値は、輪郭処理（定量化）され、最小ＬＣＤ透過率未満のＬＣＤ値を必要とするピクセルは、最小レベルにクリップされる。背面照明が低すぎる場合、バックライトレベルを超えるピクセルは、最大ＬＣＤレベルにクリップされる。これらのクリッピングおよび輪郭処理のアーチファクトは、従来の一定バックライト式ＬＣＤディスプレイで生じることがある。
【００１７】
それぞれ画像生成パネル（例えばカラーＬＣＤパネル。しかし代替として別の画像生成パネル）およびコントラスト強調パネル（例えば無彩色ＬＣＤパネル。しかし代替として別のコントラスト強調パネル）と、バックライトとを含む、米国特許出願第１２／７８０，７４９号に記載されているタイプのデュアルパネルディスプレイの例を、図１、図２、図２Ａ、図３Ａ、図３Ｂ、図４Ａ、図４Ｂ、図４Ｃ、および図４Ｄを参照して説明する。
【発明の概要】
【００１８】
実施形態の一類において、本発明によるデュアルＬＣＤパネルディスプレイは、カラーＬＣＤパネル（本明細書では時として「画像生成」パネルと呼ぶ）と、カラーフィルタを有さないＬＣＤパネル（無彩色ＬＣＤパネル）と、バックライトと、無彩色ＬＣＤパネルとカラーＬＣＤパネルとの間にある偏光保存拡散器と、バックライトと無彩色ＬＣＤパネルおよびカラーＬＣＤパネルの一方との間にあるクロスＢＥＦ（「明るさ向上フィルム」）コリメータとを備える。カラーＬＣＤパネルと無彩色ＬＣＤパネルはそれぞれ、初期偏光子と検光偏光子との間に（ＬＣＤセルを含む）能動層を含む。したがって、典型的な実施形態では、無彩色ＬＣＤパネルは、２つの偏光子（初期偏光子と検光偏光子）を含み、特定の偏光を有する光を透過し、偏光保存拡散器は、この光の偏光を保ち、カラーＬＣＤパネル（これも２つの偏光子、すなわち初期偏光子と検光偏光子を含む）が、偏光保存拡散器によって拡散された光をさらに変調する。いくつかの実施形態では、２つのパネルの位置が逆であり、したがって、カラーＬＣＤパネルが無彩色ＬＣＤパネルの上流にある。
【００１９】
好ましくは、無彩色ＬＣＤパネルは、（無彩色ＬＣＤパネルがバックライトとカラーＬＣＤパネルとの間にあるという意味合いで）カラーＬＣＤパネルの上流に配置され、反射偏光子（いくつかの実施形態では、ＤＢＥＦ−Ｄフィルムとして実装される）が、クロスＢＥＦコリメータと無彩色ＬＣＤパネルとの間に配置され、この反射偏光子は、反射偏光子によって透過される光の偏光が初期偏光子によって透過される光の偏光と一致するように、無彩色ＬＣＤパネルの初期偏光子に対して方向付けられる。クロスＢＥＦコリメータから無彩色ＬＣＤパネルに向かって伝播するコリメートされた光が、反射偏光子によって偏光バイアスを与えられ、反射偏光子は、不正確に偏光された光をクロスＢＥＦコリメータに向けて反射し返す。好ましくは、クロスＢＥＦコリメータは、反射偏光子と共にレンズ効果を生み出し、この効果は、クロスＢＥＦコリメータに鈍角で（バックライトから）入射する光をコリメートして偏光し、（鈍角でない）他の角度でクロスＢＥＦコリメータに入射した光をリサイクルして（バックライトに向けて反射し返して）、光学スタックの全体的な効率を改良する。代替として、カラーＬＣＤパネルが無彩色ＬＣＤパネルの上流にある実施形態では、反射偏光子は、クロスＢＥＦコリメータとカラーＬＣＤパネルとの間に配置される。
【００２０】
本発明によるデュアルＬＣＤパネルディスプレイは、典型的にはまた、（カラーＬＣＤパネル用の駆動信号を決定する）カラーパネル駆動値と、（無彩色ＬＣＤパネル用の駆動信号を決定する）無彩色パネル駆動値とを生成するように構成されたＬＣＤ制御装置を含む。いくつかの実施形態では、本発明によるデュアルパネルディスプレイ（例えば、デュアルＬＣＤパネルディスプレイ）は、ハイダイナミックレンジのディスプレイとして実装される。
【００２１】
典型的な実装形態では、無彩色ＬＣＤパネルは、（バックライト光源のアレイまたは単一のバックライト光源を備えることがある）バックライトと、カラーＬＣＤパネルとの間に配置され、それにより、動作時、無彩色ＬＣＤパネルが背面照明され、バックライトから無彩色ＬＣＤパネルを通過する光がカラーＬＣＤパネルを照明する。典型的な実装形態では、無彩色ＬＣＤパネルは、ディスプレイによって表示すべき（入力画像ピクセルによって決定される）基本バージョンの画像を生成し、カラーＬＣＤパネルは、さらに、ベース画像を変調して、表示すべき画像を生成する。ベース画像は、表示すべき画像の明るさ強度に比例した明るさ強度を備えることができる。ベース画像の明るさ強度は、表示すべき画像よりも鮮明な画像でよく、またはベース画像は、表示すべき画像の明るさレベルに比例する明るさレベルのぼやけた近似でもよい。無彩色ＬＣＤパネルの解像度は、カラーＬＣＤパネルの解像度よりも高いまたは低い（しかし典型的には高い）ことがある。
【００２２】
いくつかの実施形態では、バックライトは、１つまたは複数のＣＣＦＬ、ＬＥＤ、およびＯＬＥＤを備える。これらは、直接照明してもよく、またはライトパイプを通して光を搬送することもできる（例えば、エッジライト式バックライト構成の場合）。いくつかの実施形態では、バックライトは、以下のものの少なくとも１つを備える光源のアレイである。白色光源または広帯域スペクトル光源、ＲＧＢ光源、ＲＧＢＷ光源、ＲＧＢと１つまたは複数のさらなる原色光源、あるいは他の多原色光源の色組合せ。光源（例えばエッジライト式光源）のアレイは、局所的に減光されることがある。一実施形態では、光源は様々な色を含み、各色の明るさが個別に制御可能である。
【００２３】
より一般的には、本発明の他の実施形態は、画像生成パネル（例えばカラーＬＣＤパネル。しかし代替として別の画像生成パネル）と、少なくとも１つのコントラスト強調パネル（例えば少なくとも１つの無彩色ＬＣＤパネル。しかし代替として別のコントラスト強調パネル）と、バックライトと、コントラスト強調パネルと画像生成パネルとの間にある偏光保存拡散器と、バックライトと画像生成パネルおよびコントラスト強調パネルの一方との間にあるクロスＢＥＦ（「明るさ向上フィルム」）コリメータとを含むデュアルパネルディスプレイである。コントラスト強調パネルおよび画像生成パネルはそれぞれ、初期偏光子と検光偏光子との間に能動層（光を変調するために駆動することができる）を含む。したがって、典型的な実施形態では、コントラスト強調パネルは、２つの偏光子（初期偏光子と検光偏光子）を含み、特定の偏光を有する光を透過し、偏光保存拡散器は、この光の偏光を保ち、画像生成パネル（これも２つの偏光子、すなわち初期偏光子と検光偏光子を含む）が、偏光保存拡散器によって拡散された光をさらに変調する。いくつかの他の実施形態では、２つのパネルの位置が逆であり、したがって、画像生成パネルがコントラスト強調パネルの上流にある。
【００２４】
好ましくは、コントラスト強調パネルは、（コントラスト強調パネルがバックライトと画像生成パネルとの間にあるという意味合いで）画像生成パネルの上流に配置され、反射偏光子（いくつかの実施形態では、ＤＢＥＦ−Ｄフィルムとして実装される）が、クロスＢＥＦコリメータとコントラスト強調パネルとの間に配置され、この反射偏光子は、反射偏光子によって透過される光の偏光が初期偏光子によって透過される光の偏光と一致するように、コントラスト強調パネルの初期偏光子に対して方向付けられる。クロスＢＥＦコリメータからコントラスト強調パネルに向かって伝播するコリメートされた光は、反射偏光子によって強い偏光バイアスを与えられ、反射偏光子は、不正確に偏光された光をクロスＢＥＦコリメータに向けて反射し返す。好ましくは、クロスＢＥＦコリメータは、反射偏光子と共にレンズ効果を生み出し、この効果は、クロスＢＥＦコリメータに鈍角で（バックライトから）入射する光をコリメートして偏光し、（鈍角でない）他の角度でクロスＢＥＦコリメータに入射した光をリサイクルして（バックライトに向けて反射し返して）、光学スタックの全体的な効率を改良する。代替として、画像生成パネルがコントラスト強調パネルの上流にある実施形態では、反射偏光子は、クロスＢＥＦコリメータと画像生成パネルとの間に配置される。
【００２５】
実施形態の最後に述べた形態において、両方のパネルが画像を生成し、両方のパネルが、表示用の最終的な画像にコントラストを与えることを理解すべきである。画像生成パネルは、典型的には、フィルタリングと明るさ変調との組合せによって色およびコントラストを与え、コントラスト強調パネルは、典型的には、明るさ変調によってコントラストを与え、またはコントラストを向上させる。また、上述した実施形態に対する変形形態では、コントラスト強調パネルがカラーフィルタリングも含むことができ、あるいは、コントラスト強調パネルと画像生成パネルの一方または両方における機能の他の変形形態を実装することもできることを理解すべきである。
【図面の簡単な説明】
【００２６】
【図１】本発明の一実施形態に従って変更することができるデュアルＬＣＤパネルディスプレイの概略図である。
【図２】本発明の一実施形態に従って変更することができる別のデュアルＬＣＤパネルディスプレイの概略図である。
【図２Ａ】デュアルＬＣＤパネルディスプレイで伝送される光の高周波数フィーチャおよび拡散を示すグラフである。
【図３Ａ】典型的なＬＣＤパネルでの層の配置を示す図である。
【図３Ｂ】無彩色ＬＣＤパネルと、カラーＬＣＤパネルと、制御装置とを含むデュアルＬＣＤパネルディスプレイの一部の図であって、各ＬＣＤパネルにおける層の構成を示す図である。
【図４Ａ】ディスプレイのカラーＬＣＤパネルおよび無彩色ＬＣＤパネル用の駆動信号を生成するために本発明の一実施形態において含むことができる制御装置（電子デバイス）のアーキテクチャを示す、デュアルＬＣＤパネルディスプレイ用の制御装置のブロック図である。
【図４Ｂ】ディスプレイのカラーＬＣＤパネルおよび無彩色ＬＣＤパネル用の駆動信号を生成するために本発明の一実施形態において含むことができる制御装置（電子デバイス）のアーキテクチャを示す、デュアルＬＣＤパネルディスプレイのブロック図である。
【図４Ｃ】ディスプレイのカラーＬＣＤパネルおよび無彩色ＬＣＤパネル用の駆動信号を生成するために本発明の一実施形態において含むことができる制御装置（電子デバイス）のアーキテクチャを示す、デュアルＬＣＤパネルディスプレイ用の制御装置のブロック図である。
【図４Ｄ】ディスプレイのカラーＬＣＤパネルおよび無彩色ＬＣＤパネル用の駆動信号を生成するために本発明の一実施形態において含むことができる制御装置（電子デバイス）のアーキテクチャを示す、デュアルＬＣＤパネルディスプレイのブロック図である。
【図５】本発明によるデュアルＬＣＤパネルディスプレイの一実施形態の要素の簡略側断面図である。
【図６】デュアルＬＣＤパネルディスプレイの要素の分解斜視図、およびディスプレイのバックライトおよびＬＣＤパネルを制御するための要素のブロック図である。
【図７】本発明によるデュアルＬＣＤパネルディスプレイの別の実施形態の要素の簡略側断面図である。
【図８】本発明によるデュアルＬＣＤパネルディスプレイの別の実施形態の要素の簡略側断面図である。
【発明を実施するための形態】
【００２７】
図１、図２、図３Ｂ、図４Ａ、図４Ｂ、図４Ｃ、図４Ｄ、および図５〜図７を参照して説明するデュアルＬＣＤパネルディスプレイ実施形態を含めた、本発明によるデュアルパネルディスプレイの多くの実施形態が企図される。（デュアルＬＣＤパネルディスプレイのカラーＬＣＤパネルおよび無彩色ＬＣＤパネル用の駆動信号を生成するための）制御装置の例示的実施形態を、図４Ａ、図４Ｂ、図４Ｃ、図４Ｄ、および図６を参照して説明する。
【００２８】
（図１の）ハイダイナミックレンジのデュアルＬＣＤパネルディスプレイ２００は、バックライト１１０を含み、バックライト１１０は、標準のＣＣＦＬまたは他の広帯域発光源（例えば、ＬＥＤやＯＬＥＤなど）でよい。バックライト１１０は、（下流のパネル２４０および２５０を直接照明する（１つまたは複数の）光源を備えることがある）直下式でも、（多くの薄型画面ＬＣＤディスプレイ設計でよく用いられているような）エッジライト式でもよく、一定のバックライト、全体的に減光されたバックライト、または局所的に減光されたバックライトを放出することができる。バックライトは、白色にすることができ、輝度を制御可能にすることができ、または多色駆動式にすることもできる。
【００２９】
バックライト１１０は、２つの下流の変調器、すなわちカラーＬＣＤパネル２５０と、（パネル２５０の上流に配置された）無彩色ＬＣＤパネル２４０とを照明する。バックライト２１０は、光２１８で無彩色ＬＣＤパネル２４０を照明する。無彩色パネル２４０は、変調光２４８を生成し、変調光２４８は、バックライト２１８の局所的に減光されたバージョンである。変調光２４８は、カラーＬＣＤパネル２５０によって、色および明るさに関してさらに変調され、最終的な画像光２５８を生成する。制御装置２５１は、入力画像データ（例えば、入力ビデオ）に応答して、パネル２４０および２５０の能動要素に駆動信号をアサートする。
【００３０】
図示されるように、無彩色パネル２４０は、初期偏光子２４２と、能動要素パネル２４２（典型的には、カラーフィルタのないねじれネマティック液晶（「ＴＮ」）の層）とを含む。カラーパネル２５０は、カラーパネル用の初期偏光子としても能動要素パネル２４２用の検光子としても働く偏光子２４６（例えば吸光偏光子）と、偏光子２４６を透過された光を偏光および色に関して変調するカラー能動層２５４（典型的には、ＴＮセルの層と、その上のカラーフィルタの層）と、偏光ベースのフィルタリングによって強度変調を行う受動偏光子２５６とを備える。
【００３１】
偏光子２４２は、偏光子２４２を透過されないような偏光を有するバックライト１１０からの光を反射する反射偏光子でよい。反射してバックライト１１０に戻る光は、バックライト１１０の１つまたは複数の要素による（偏光変化を伴わない）再反射によって「リサイクル」して、再び偏光子２４２に向けることができる。例えば、図１に示される実装形態に対する変形形態では、バックライト１１０の右面に配置（例えば接着）された反射偏光子（「バックライトアセンブリ反射偏光子」）が、パネル２４０によって（例えば、パネル２４０の偏光子２４２によって）反射されてバックライト１１０に向けて戻された光を再反射して、その光の偏光を変える。パネル２４０からのそのような反射は、典型的には、ディスプレイによるさらに下流での処理を行うために光の偏光が正確な向きではなかったために、偏光子２４２の反射実装形態で反射されてバックライト１１０に向けて戻された光を含む。バックライトアセンブリ反射偏光子による再反射は、好ましくは、再反射される光の偏光を変え、それにより、再反射された光は、偏光子２４２の反射実装形態を透過されて所望の画像の生成に利用される機会を再び得る。バックライト１１０の右（下流）面にある任意のバックライトアセンブリ反射偏光子は、バックライト１１０によって放出された光がパネル２４０に向かって伝播することができるように透過すべきである。
【００３２】
一定のバックライトの場合、バックライト１１０は、一定または一様な初期光２１８を生成する。他の実施形態では、初期光２１８を変調することができる（例えば、空間変調された光、事前変調された光、全体的に減光された光、ＲＧＢごとに減光された光、一時的に変調された光、またはこれらのタイプの光の組合せでよい）。光２１８は、パネル２４０を照明する。デュアルＬＣＤパネルディスプレイ（例えば、図１のディスプレイ）の光／画像チェーン内の実質的に任意の点に追加の光学要素を配置することができることに留意すべきである。そのような追加の光学要素は、ディスプレイ設計に応じて、（例えばバックライト１１０とパネル２４０との間にある）拡散器、コリメータ、ＤＥＶ、明るさ向上フィルム（ＢＥＦ）、および反射器の任意のものを含む。
【００３３】
図１のディスプレイは、本発明の一実施形態によれば、クロスＢＥＦコリメータと、反射偏光子（例えばＤＢＥＦ−Ｄフィルム）と、パネル２４０の下流面上の検光偏光子と、パネル２４０と２５０の間のホログラフィ拡散器とを含むように修正することができる。図１のカラーＬＣＤパネルは、画像生成パネルの一例であり（いくつかの実施形態では、カラーＬＣＤパネルでない画像生成パネルで置き換えられ）、図１の無彩色ＬＣＤパネルは、コントラスト強調パネルの一例であり、いくつかの実施形態では、無彩色ＬＣＤパネルでないコントラスト強調パネルによって置き換えられることを理解すべきである。
【００３４】
図２は、ハイダイナミックレンジのデュアルＬＣＤパネルディスプレイ２６０の概略図である。ディスプレイ２６０は、適切に設計された拡散器、すなわちアップストリーム拡散器２７２とミッドストリーム拡散器２７４とを含むことによって、図１のディスプレイよりも良い性能を有することができる。拡散器２７２および２７４以外の図２におけるすべての要素は、図１における同一の番号を付された要素と同じであり、それらの説明は図２を参照して繰り返さない。アップストリーム拡散器２７２は、バックライトを、一様に分散された光源に拡散するように設計された「粗い」拡散器である。（個別に制御可能なバックライト要素のアレイからの）局所的に減光されたバックライトの場合、アップストリーム拡散器２７２（拡散器スタックでもよい）は、無彩色パネル２４０のピクセルにわたってバックライトを滑らかに変化させるように設計される。
【００３５】
（パネル２４０と２５０の間の）ミッドストリーム拡散器２７４は、特に、無彩色パネル２４０から放出された光を滑らかにするように設計される。好ましくは、ミッドストリーム拡散器２７４は、パネル２４０のピクセルから放出された光パターンの粗い縁部を除去して滑らかにする。これを行うために、ミッドストリーム拡散器２７４は、アップストリーム拡散器２７２よりも高い拡散解像度を有する（例えば、より小さなフィーチャを拡散することが可能である）ことがあり、また、パネル２４０から放出された光の変調された解像度を維持することが可能であることもある。例えば、図２Ａに示されるグラフは、無彩色パネル２４０から放出されることがある、（パネル２４０の面に沿った空間的位置に対する）変調光２８０の強度の「オンオフ」パターンを示す。ミッドストリーム拡散器２７４は、（例えば、図２Ａに示される拡散光パターン２８５を有する拡散光を生成するために）好ましくはピークの明るさおよび暗さをできるだけ維持しながら、放出光パターン２８０の鋭い縁部を除去する（放出光パターン２８０を滑らかにする）ように機能することができる。
【００３６】
拡散器２７４からパネル２５０に伝送される拡散光のパターンは、その鋭い縁部（例えば、より高い周波数）を除去されており、この拡散は、好ましくは、モアレパターンを「破壊」する、またはモアレパターンの生成を防止するのに十分である。モアレパターンは、典型的には、格子状パネルおよび／または他の光学要素の様々な組合せを備えるディスプレイにおいてアーチファクトとして生じる。ミッドストリーム拡散器２７４から伝送される拡散光２８５は、好ましくは、アップストリーム拡散器２７２から伝送される拡散光とは全く異なる拡散レベルである。アップストリーム拡散器は、例えば、拡散されたバックライトが、バックライト内の１つの発光素子の位置から次の発光素子の位置に滑らかに変化することができるようにする。対照的に、ミッドストリーム拡散器は、例えば、パネル２４０の単一のピクセルの寸法に対応する位置の各範囲にわたる発光の滑らかな変化を提供し、パネル２４０の直接隣接するピクセルからのみ光を混合する。一実施形態では、アップストリーム拡散器とミッドストリーム拡散器は、例えば１桁以上、拡散の粗さが異なる。実際、アップストリーム拡散器とミッドストリーム拡散器との解像度の差がはるかに大きいと、最良の結果が得られることがある。
【００３７】
図２の一実装形態では、アップストリーム拡散器２７２は、バックライト内の複数の光源からの光を混合して滑らかにし、一方、ミッドストリーム拡散器２７４は、無彩色パネル２４０の単一のピクセルからの光を滑らかにする。別の実装形態では、アップストリーム拡散器２７２は、アップストリーム拡散器２７２の単一のピクセルがバックライト内の複数の光源によって照明されるように光を混合するものとして表すことができ、ミッドストリーム拡散器２７４は、サブピクセルレベルでの無彩色パネル２４０からの光（無彩色パネルの個々のピクセルからの光。以下に説明するように、これらのピクセルは、本明細書では時として「サブピクセル」と呼ぶ）を混合するものとして表すことができる。一実施形態では、アップストリーム拡散器２７２は、粗い拡散器であり、ミッドストリーム拡散器２７４は、比較的細かい拡散器である。一実施形態では、ミッドストリーム拡散器は、サブピクセル解像度未満での拡散を提供する。別の実施形態では、ミッドストリーム拡散器は、通常であれば放出される光の高周波数成分をカットオフ、除去、位置変更、または消去する空間伝達関数を有する拡散器を備える。別の実施形態では、ミッドストリーム拡散器は、アップストリームピクセルの非矩形性を補償するために、ある方向で別の方向よりも大きく光を拡散する材料を備える。
【００３８】
別の実施形態では、ミッドストリーム拡散器２７４は、変調光の解像度が変えられないように十分なディテールを保つ（例えば、解像度は変えられないが、より高い周波数のディテールはもはや存在しない）。ミッドストリーム拡散器は、無彩色パネルによって変調された光の高周波数ディテールをマスクするように設計することができる。例えば、ミッドストリーム拡散器は、４つの最低高調波（例えば、図２Ａでは、画像２８０の４つの最低高調波が画像２８５を近似的に再生する）、または別の１組の最低高調波（例えば、基本周波数の２、３、５、６、７、または８個の最低高調波）を通過させる光学ローパスフィルタを備えることができる。ミッドストリーム拡散器は、例えば、無彩色パネルによって光ストリーム中に配置されたサブピクセルレベルのフィーチャを除去する。ほとんどの実施形態において、無彩色パネルでのピクセルのサイズは、無彩色パネルと画像生成パネルとの間の距離よりも小さい。
【００３９】
ミッドストリーム拡散器の粗さは、例えば、一因子として、無彩色パネルのセルおよび周囲領域の幾何形状によって決定することができる。例えば、無彩色パネルが、すべてのサイズに関して等しい量のハードウェア（ワイヤ、セル壁など）を有する正方形のセルを備える場合、ミッドストリーム拡散器の粗さは、すべての方向で概して一様である。無彩色パネルのセルが長方形である場合、ミッドストリーム拡散器の粗さは、他の因子すべてが等しいと仮定して、長方形の長辺に対応する方向でより粗く、長方形の短辺に対応する方向でより細かい。
【００４０】
また、ミッドストリーム拡散器２７４の粗さは、例えば、スケール、および／または物理的フィーチャまたは他の制御されていないフィーチャ、および／または無彩色パネル２４０のセルの不完全性によって決定されることもある。粗さは、制御不可能なフィーチャをマスクするが、（変調光の形での）パネルの解像度をほとんど変えずに済む解像度に定められ得る。例えば、無彩色パネルのセル間の空間は、光を阻止することも、いくらかの量の非変調光を通すこともある。無彩色パネルによって阻止された光または通過された非変調光は、制御されていないフィーチャまたは制御不可能なフィーチャを画像内に生成し、これは、拡散器２７４によってマスクすることができる。
【００４１】
他の制御不可能なフィーチャは、例えば、通電レベルに起因しない無彩色パネルセルの変調の差、および／またはセルの内部での不均一性を含むことがある。これらはいずれも、例えば製造または構成要素の品質のばらつきによることがある。一実施形態では、ミッドストリーム変調器の粗さは、制御不可能なフィーチャの１つまたは複数が、除去、マスク、または拡散による最小化の少なくとも１つを行われるように選択される。一実施形態では、制御不可能なフィーチャは、方向（例えば水平および垂直）に応じて異なり、各方向（単一の拡散器で少なくとも２方向）が、それらの方向で見られる異なる量の制御不可能なフィーチャに関連付けられる異なる拡散性質を有する。
【００４２】
図１および図２の実施形態において、偏光子２４６は、パネル２４０用の検光子としても、ダウンストリームパネル２５０用の初期方位偏光子としても使用される。ミッドストリーム拡散器２７４は、偏光を含むように、または既存の偏光を維持するように特別に構成することができる。ミッドストリーム拡散器２７４が偏光を維持する（例えば、拡散された光の偏光を実質的に変えない）場合、偏光子２４６は、上述したように、検光子としても初期方向偏光子としても働く。しかし、拡散器は、典型的には、望まれるよりも大きい偏光変化を与え、したがって、拡散要素２７４への偏光子の追加が望ましいことがあり、それにより、拡散および関連の偏光変化の前に検光することができる。この追加の偏光子は、明るさを犠牲にしてコントラストを高めることができる。
【００４３】
図１および図２の実施形態は、典型的には、変調器（無彩色パネル２４０と画像生成パネル２５０）が互いに近接するように構成され、これは、１つの利点として、パネル同士の離隔によって引き起こされる視差を減少させる。変調器は、直接挟み合わせることができ、または薄膜、空気ギャップ、もしくは光学スタック要素などによって離隔して挟み合わせることができる。そのような光学スタック要素は、例えば、拡散器、コリメータ、または他の光学要素であり、これらは、ＬＣＤパネルのガラスおよび他の層よりも比較的薄い。パネルが近接している場合でさえ、特に複雑な画像またはパターンが垂直ではない角度で表示されて視聴されるときには、視差が生じることがある。
【００４４】
図２のディスプレイは、本発明の一実施形態によれば、クロスＢＥＦコリメータと、反射偏光子（例えばＤＢＥＦ−Ｄフィルム）と、パネル２４０の下流面上の検光偏光子と、拡散器２７４のホログラフィ実装形態とを含むように修正することができる。図２のカラーＬＣＤパネルは、画像生成パネルの一例であり（いくつかの実施形態では、カラーＬＣＤパネルでない画像生成パネルで置き換えられ）、図２の無彩色ＬＣＤパネルは、コントラスト強調パネルの一例であり、いくつかの実施形態では、無彩色ＬＣＤパネルでないコントラスト強調パネルによって置き換えられることを理解すべきである。
【００４５】
図３Ａに、典型的な従来のＬＣＤパネル３１０の構成が示されている。視聴側からの第１の層は、偏光（検光）層３１２である。次に、比較的厚い透明基板３１４（例えばガラス）が示されている。ガラスの非視聴側に、例えば、液晶層３１６を制御するためのワイヤおよび／または電子回路がエッチングされる。基板および（１つまたは複数の）液晶層と共に、カラーフィルタ層３１８および初期偏光層３２０が積層される。動作時、バックライトがパネル３１０を照明し、偏光層３２０が、初期偏光を設定し、カラーフィルタ３１８が、原色（赤色、緑色、および青色）を提供し、液晶層３１６が、Ｒ、Ｇ、Ｂ光それぞれの偏光を、各光を減衰すべき量だけ回転させる。次いで、検光層が、液晶層によって与えられたそれぞれの偏光に基づいた量のＲ、Ｇ、およびＢ光を吸収する。
【００４６】
図３Ｂは、無彩色ＬＣＤパネル３５０と、カラーＬＣＤパネル３７０と、制御装置３７９とを含むデュアルＬＣＤパネルディスプレイの一部の図であって、各ＬＣＤパネルにおける層の構成を示す図である。この構成は、カラーＬＣＤパネル３７０の能動層のできるだけ近くに無彩色ＬＣＤパネル３５０の能動層を配置するように特別に設計される。無彩色パネル３５０の層は、（バックライト側から）透明基板３５２と、初期偏光層３５４と、能動層３５６（例えば制御可能な偏光層）とを備える。偏光子３６０（個別の構成要素であっても、無彩色パネル３５０またはカラーＬＣＤパネル３７０と共に積層されていてもよい）が、無彩色パネル３５０用の検光偏光子として、かつまたカラーＬＣＤパネル３７０用の初期偏光層として、二重の役割を果たす。
【００４７】
バックライト側から続けて、カラーＬＣＤパネル３７０の層は、カラーフィルタ層３７２と、能動層３７４と、基板３７６と、偏光（検光）層３７８とを備える。例えば基板３７６のバックライト側に偏光（検光）層３７８を配置することを含めた、これらの層の他の構成が利用されることもある。また、偏光（検光）層３７８を、カラーフィルタ層３７２のバックライト側に配置することもでき、能動層３７４を、パネル３７０のバックライト側に第１の層として配置することもできる（例えば、能動層−カラーフィルタ層−偏光（検光）層）。制御装置３７９は、入力画像データ（例えば、入力ビデオ）に応答して、パネル３５０および３７０の能動要素に駆動信号をアサートする。
【００４８】
図３Ｂのディスプレイは、本発明の一実施形態によれば、クロスＢＥＦコリメータと、反射偏光子（例えばＤＢＥＦ−Ｄフィルム）と、無彩色パネル３５０の下流面上の検光偏光子と、（共有の偏光子３６０の代わりに）カラーＬＣＤパネル３７０の上流面上にある個別の偏光層と、パネル３５０と３７０の間のホログラフィ拡散器とを含むように修正することができる。
【００４９】
本発明のいくつかの実施形態では、無彩色パネルと画像生成パネルは、同様に構成されたＬＣＤパネルから提供される。無彩色パネルは、例えば、ＬＣＤパネルに対して後ろ向き、または上下逆（裏返しまたは反転）でよい。この構成は、同様に方向付けられた典型的な市販の構成のパネルの場合よりも、無彩色パネルと画像生成パネルの能動層を互いに近くに配置する。
【００５０】
図４Ａは、（例えば、図５および図５Ａを参照して説明するように実装されたモジュール４１０を用いて）ディスプレイのカラーＬＣＤパネルおよび無彩色ＬＣＤパネル用の駆動信号を生成する制御装置（電子デバイス）のアーキテクチャを示す、デュアルＬＣＤパネルディスプレイ用の制御装置のブロック図である。無彩色ＬＣＤパネルは、ディスプレイのいくつかの典型的な実施形態では、カラーＬＣＤパネルの上流に物理的に位置されるが、ディスプレイの他の実施形態では、カラーＬＣＤパネルの下流に位置される（ＬＣＤパネルの相対位置に関わらず、パネル用の駆動信号を生成することができる）。制御装置４００は、カラーＬＣＤパネルおよび無彩色ＬＣＤパネル用の駆動信号を生成する電子システムまたはデバイス（例えば、電子回路、ソフトウェアアーキテクチャ、プログラマブルデバイスアーキテクチャ、プラグインなど、またはそれらの組合せ）である。画像またはビデオソース（例えば、ＤＶＤ、ケーブル、ブロードキャスト、衛星、ストリーミングビデオ、インターネット、リムーバブルメディア、サム駆動など）から、カラーＬＣＤパネル制御モジュール４１０および無彩色パネル制御モジュール４２０に入力信号（Ｒｉｎ、Ｇｉｎ、およびＢｉｎ値を示す）が提供および／または抽出される。無彩色パネル制御モジュールは、信号Ｐｏｕｔ（参照番号４２５で示される）を生成し、この信号Ｐｏｕｔは、無彩色ＬＣＤパネルにアサートされる（この無彩色ＬＣＤパネルは、典型的には、デュアルＬＣＤパネルディスプレイにおける対応するカラーＬＣＤパネルの上流に位置される）。本質的に、Ｐｏｕｔ信号４２５は、無彩色パネルのどのピクセルを減衰させるべきか、および（例えば、減衰すべきピクセルの偏光を、そのピクセルに関する所望の減衰の量に比例する量だけ回転させることによって実施される）減衰の量を示す。Ｐｏｕｔ信号４２５は、例えば、ＲｉｎＧｉｎＢｉｎデータから導出される輝度値でよい。
【００５１】
カラーパネル制御モジュール４１０での処理は、例えば、特徴付けと補正の両方を実施することができ、（例えば、入力ＲＧＢ値を、それらの所与の輝度に応答して補正する）補正応答曲線と、局所コントラストを増加または減少させる（カラーＬＣＤパネルのピクセルをより暗く、またはより明るくする）非線形伝達関数とを生成する。無彩色パネル制御モジュール４２０での処理は補正を実施することができ、この補正は、入力ＲＧＢ値から求められる輝度値に伝達関数（例えば非線形伝達関数）を適用して、局所コントラストを増加または減少させる（無彩色ＬＣＤパネルのピクセルをより暗く、またはより明るくする）。非線形関数は、例えば、隣接するピクセルの相対明るさを考慮しながら、ピクセルを明るく、または暗くすることができる。図示されるように、Ｐｏｕｔは、カラーパネル制御モジュール４１０にアサートされ、それにより、モジュール４１０の出力は、入力ＲｉｎＧｉｎＢｉｎデータと、Ｐｏｕｔ信号によって決定される各無彩色パネル駆動値によって決定される。代替として、（モジュール４２０で生成された）中間データ４２４が、排他的または追加的にカラーパネル制御モジュール４１０に転送されることがある。中間データ４２４は、例えば、Ｐｏｕｔを生成するために実施されるステップの１つまたは複数を行うことによって生成される多少処理されたデータでよい（例えば、非線形関数を適用していない特徴付け）。ＲｉｎＧｉｎＢｉｎデータに応答して、カラーパネル制御モジュール４１０は、ＲｏｕｔＧｏｕｔＢｏｕｔ駆動信号４３０を生成し、この駆動信号４３０は、ディスプレイのカラーＬＣＤパネル（例えば１９２０×１０８０ピクセルのパネル）にアサートされて、カラーＬＣＤパネルのピクセルを駆動する。
【００５２】
図４Ｂは、（例えば、図５および図５Ａを参照して説明するように実装されたモジュール４６２を用いて）ディスプレイのカラーＬＣＤパネル４６０用の駆動信号を生成する制御装置４５０（例えば、電子回路、ソフトウェアアーキテクチャ、プログラマブルデバイスアーキテクチャ、プラグインなど、またはそれらの組合せ）のアーキテクチャを示す、デュアルＬＣＤパネルディスプレイのブロック図である。制御装置４５０は、バックライト４５６、無彩色ＬＣＤパネル４６０、およびカラーＬＣＤパネル４６４用の駆動信号を生成する電子デバイス４５０（例えば、プログラムされた処理装置）として実装される。ＲｉｎＧｉｎＢｉｎ入力ピクセル値を示すソース画像／ビデオ信号は、画像またはビデオソース（例えば、ＤＶＤ、ケーブル、ブロードキャスト、衛星、ストリーミングビデオ、インターネット、リムーバブルメディア、サム駆動など）からグローバル明るさ計算モジュール４５２に提供および／または抽出され、グローバル明るさ計算モジュール４５２は、光を、Ｒ、Ｇ、およびＢの原色成分に分け、これらの成分をバックライト制御装置４５４に提供する。応答時、制御装置４５４は、バックライトユニット４５６を駆動するためのバックライト制御信号を生成する。バックライト制御信号は、バックライトアレイの各ピクセルの各原色成分に関するバックライト駆動値、またはバックライトに関する単一のバックライト駆動値を決定することができる。
【００５３】
一実施形態では、バックライトユニット４５６の局所的に減光可能な実装形態の場合（例えば、局所的に減光される（または局所的に減光可能な）光源を含むバックライト）、バックライトユニット４５６は、各入力画像の領域内の相対明るさに従って下流の無彩色パネル４６０およびカラーＬＣＤパネル４６４を照明する空間変調されたバックライトを生成することができる。相対明るさは、例えば、対応するバックライトピクセルにおける各原色の相対強度に基づいて計算することができる。また、空間変調されたバックライトの生成は、例えば、隣接するバックライトピクセルまたは近傍のバックライトピクセルの明るさ、および／またはビデオの場合には、先行および／または後続の画像フレームでのピクセルの明るさの考慮を含むこともできる。
【００５４】
無彩色ＬＣＤパネル制御装置４５８は、入力ビデオ／画像信号、および任意選択でさらにバックライト制御信号を受信し、それらに応答して、無彩色パネル制御（駆動）信号を生成する。無彩色パネル制御信号は、無彩色パネル４６０の各ピクセルによって生成される減光の量を指定する。無彩色パネル４６０は、カラーＬＣＤパネル４６４よりも高い（または低い、または等しい）解像度のものでよい。
【００５５】
一実施形態では、画像生成（カラーＬＣＤ）パネル４６４は、無彩色パネル４６０の下流にあり、（典型的にはパネル４６４よりも高い解像度の）無彩色パネル４６０を利用して、意図的にぼやけさせた照明プロファイルを生成する（無彩色パネルが低解像度であるためにぼやけるのではなく、無彩色パネルのより高い解像力を使用してぼやけさせる）。意図的にぼやけさせた画像は、バックライトまたはバックライト中の個々の光の点拡がり関数または他の品質／向きに起因するバックライトの混合により生じるぼやけとは別に、ディスプレイのより高い解像力を使用してぼやけさせる。上述したぼやけは、バックライトのぼやけまたは混合とは別であるが、それにもかかわらず、本発明のいくつかの実施形態は、バックライトの個別の要素の混合またはぼやけの量を含むことがある。
【００５６】
カラーＬＣＤパネル制御装置４６２は、無彩色パネル制御信号、画像／ビデオ信号、および任意選択でさらにバックライト制御信号を受信し、それらに応答して、（カラーＬＣＤパネル４６４の各ピクセルを駆動するための）カラーＬＣＤパネル制御信号を生成する。
【００５７】
図４Ｃは、無彩色パネル制御モジュール４７２およびＬＣＤ色補正モジュール４７４に提供される入力信号（入力値Ｒｉｎ、Ｇｉｎ、およびＢｉｎのシーケンス）に応答して、（例えば、図５および図５Ａを参照して説明するように実装されるモジュール４７４を用いて）ディスプレイのカラーＬＣＤパネルおよび無彩色ＬＣＤパネル用の駆動信号を生成する制御装置（電子デバイス）のアーキテクチャを示す、デュアルＬＣＤパネルディスプレイ用の制御装置（４７０）のブロック図である。ＬＣＤ色補正モジュール４７４は、ＲＧＢピクセルの１９２０×１０８０ＬＣＤアレイを駆動するための出力（カラーＬＣＤパネル駆動値Ｒｏｕｔ、Ｇｏｕｔ、およびＢｏｕｔ）を補正および生成するように構成することができる。無彩色パネル制御モジュール４７２（モジュール４７６および４７８を備える）は、より低い解像度、例えば１６８０×１０５０ピクセルのＬＣＤアレイを有する無彩色ＬＣＤパネルを制御するための駆動値を生成するように構成することができる。無彩色パネル制御モジュール４７２（モジュール４７６および４７８を備える）は、１９２０×１０８０ピクセルの解像度を有する無彩色ＬＣＤパネルを制御するための駆動値を生成するように構成することもできる。
【００５８】
無彩色パネル制御モジュール４７２は、各三つ組の入力値Ｒｉｎ、Ｇｉｎ、およびＢｉｎに応答して、１組の駆動値Ｐ１’、Ｐ２’、およびＰ３’（これらは、カラーＬＣＤパネルと同じ解像度を有する無彩色ＬＣＤパネルのピクセルの３つのＬＣＤセルを駆動するのに有用である）を出力し、それらの駆動値を、サブピクセル補間および登録モジュール４７６とフィルタリングモジュール４７８それぞれにアサートする。実際の無彩色ＬＣＤパネルは、典型的には、カラーＬＣＤパネルよりも高い解像度を有するので、モジュール４７６は、値Ｐ１’、Ｐ２’、およびＰ３’に対する補間を実施して、無彩色ＬＣＤパネルの各ピクセルに対して１組の補間された駆動値を生成する（１組の３つの補間された駆動値によって駆動される無彩色パネルの各ピクセルは、カラーＬＣＤパネルのより大きなピクセルよりも小さいので、「サブピクセル」と呼ぶ）。補間および登録モジュール４７６の動作は、好ましくは、制御装置が、様々な制御解像度およびサイズを有する様々な無彩色パネルを駆動できるようにする。フィルタモジュール４７８は、（モジュール４７６からの）補間された駆動値に対する空間およびレンジフィルタリングを行って、駆動された無彩色パネルによって生成される単色画像を滑らかにして、より良い視野角性能を実現し、その一方で、縁部を維持し、画像内の高周波数ディテールを残して、局所コントラストを高める。モジュール４７８でのフィルタリングは、駆動を無彩色ＬＣＤパネルに拡げて、オフ角視野を改良することができる。
【００５９】
モジュール４７８の出力は、無彩色パネルの各ピクセルの３つのセルを駆動するための無彩色パネル駆動値Ｐ１、Ｐ２、およびＰ３の組（モジュール４７６からの１組の３つの補間された駆動値に応答して生成された値Ｐ１、Ｐ２、Ｐ３の各組）のシーケンスである。また、無彩色パネル駆動値Ｐ１、Ｐ２、およびＰ３は、それらに応答してカラーＬＣＤパネル駆動値Ｒｏｕｔ、Ｇｏｕｔ、およびＢｏｕｔを生成するためにモジュール４７４にアサートされる。
【００６０】
モジュール４７４から出力されるカラーＬＣＤパネル制御信号は、カラーＬＣＤパネルの各ピクセルのセルを駆動するためのカラーパネル駆動値Ｒｏｕｔ、Ｇｏｕｔ、およびＢｏｕｔの組（１組の３つの入力値Ｒｉｎ、Ｇｉｎ、およびＢｉｎに応答して生成された値Ｒｏｕｔ、Ｇｏｕｔ、およびＢｏｕｔの各組）のシーケンスである。
【００６１】
図４Ｄは、図４Ｄの無彩色パネル制御モジュールおよびＬＣＤ色補正モジュールに提供される入力信号（入力値Ｒｉｎ、Ｇｉｎ、およびＢｉｎのシーケンス）に応答して、本発明によるディスプレイの一実施形態の無彩色ＬＣＤパネルおよびカラーＬＣＤパネル用の駆動信号を生成するための別の制御装置のアーキテクチャである。図４Ｄのアーキテクチャは、以下に説明することを除いて、図４Ｃのものと同一である。図４Ｄの対応する態様と同じ図４Ｃの態様の説明は、図４Ｄを参照して繰り返さない。
【００６２】
図４Ｄのアーキテクチャは、ハイダイナミックレンジ（ＨＤＲ）の入力信号、例えば、平均でヒューマンビジュアルシステム（ＨＶＳ）のダイナミックレンジに相当するダイナミックレンジを有する１つまたは複数の画像（例えばビデオ）を示すＨＤＲ信号を利用するためのフレームワークを提供する。ＨＶＳは、ほとんどのディスプレイよりも大きいダイナミックレンジを平均で有するので、（図４Ｄのグローバルトーンマッピングモジュール４８２によって実施される）トーンマッピングアルゴリズムが適用されて、入力信号によって示される（１つまたは複数の）画像のダイナミックレンジを、それらの画像がディスプレイシステムの輝度範囲内となるように変化させる。ＨＤＲフレームシーケンス（その各ピクセルが三つ組の値｛Ｘｉｎ，Ｙｉｎ，Ｚｉｎ｝によって定義される）が、図４Ｄのグローバルトーンマッピングモジュール４８２に提供される。モジュール４８２は、各三つ組のＸｉｎＹｉｎＺｉｎ値を、ＲＧＢ色空間内のＲＧＢ値に変換し、得られたＲＧＢ信号を、図４Ｄの無彩色パネル制御モジュールおよびＬＣＤ色補正モジュール（これらは、図４Ｃの対応する無彩色パネル制御モジュール４７２およびＬＣＤ色補正モジュール４７４と同一である）にアサートする。このＲＧＢ信号に応答して、図４Ｄのシステムの要素（モジュール４８２以外）は、図４Ｃのシステムと同様に動作する。
【００６３】
次に、本発明によるディスプレイのいくつかの実施形態の無彩色ＬＣＤパネルおよび画像生成（カラー）ＬＣＤパネルを駆動するための方法のさらなる詳細を述べる。（例えば同様の構成の）無彩色ＬＣＤパネルとカラーＬＣＤパネルを含むディスプレイアーキテクチャが、サブピクセル（またはより高い解像度）での局所的な減光の実施を可能にする。変調器の１つは、各次元で、他とは異なる解像度または同じ解像度を有することができる。
【００６４】
無彩色ＬＣＤパネルのピクセルは、対応する（または関連の）入力ピクセルの輝度に基づいて駆動することができる。無彩色ＬＣＤパネルの出力輝度応答の正確な特徴付けを使用して、入力ＲＧＢピクセル値を特定の駆動レベルにマッピングすることができる。
【００６５】
１組の入力画像値Ｒｉｎ、Ｇｉｎ、およびＢｉｎに応答する無彩色パネル用の駆動値は、フルホワイト（最大駆動信号コードワード）に設定されたカラーＬＣＤパネル駆動値を用いた無彩色パネルの制御の線形変化に応答する複合型デュアルパネルシステムの輝度応答の関数と、駆動値の非線形性を表す輝度を有するコードワードの歪みを表す非線形伝達関数とに従って生成することができる。この関数を使用して、暗い領域をより暗くし、明るい領域をより明るくする非線形入出力関係を用いてディスプレイの局所コントラストを改良することができる。駆動値計算を使用して、無彩色パネルの各ピクセルごとに、または無彩色パネルの各ピクセルの各セルごとに駆動値を計算することができる。無彩色ＬＣＤパネルの各ピクセルは３つのセルを備えることがあり、例えば無彩色ＬＣＤパネルのセルがカラーＬＣＤパネルの各ピクセルのセルのようにカラーフィルタされないことを除いて、無彩色ＬＣＤパネルがカラーＬＣＤパネルと同様の構成および向きを有する場合には、これらのセルは、同じまたは異なる無彩色パネル駆動値によって駆動される。
【００６６】
画像生成（カラーＬＣＤ）パネルと無彩色パネルの相互作用は、色補正関数として表すことができる。この関数は、（１組の入力色値に応答して生成された）１組の無彩色パネル駆動値に応答して無彩色パネルからの光によって照明されるときの画像生成パネルの原色を特徴付け（すなわち測定し）、上記１組の入力色値に応答して（実際に測定される色ではなく）所望の色を実現するように補正関数を決定することによって決定することができる。次いで、カラーＬＣＤパネルは、（例えば、ルックアップテーブルを使用して１組の入力色値に応答して決定される）補正された駆動値によって駆動することができ、一方、無彩色パネルは、（例えば、別のルックアップテーブルを使用して同じ１組の入力色値に応答して生成される）１組の無彩色パネル駆動値によって駆動され、入力色値に応答して（デュアルＬＣＤパネルディスプレイによって）所望の色を表示する。
【００６７】
カラーＬＣＤパネルに関する得られるＲＧＢ駆動値は、例えば、以下の形態のものでよい（ここで、Ｒｏｕｔ、Ｇｏｕｔ、およびＢｏｕｔは、カラーＬＣＤパネルの１つのピクセルの３つのセルに関する駆動値である）。
【００６８】
Ｒｏｕｔ＝ｆ３（Ｒｉｎ，ｆ４（Ｒｉｎ，Ｙｏｕｔ））
Ｇｏｕｔ＝ｆ５（Ｇｉｎ，ｆ６（Ｇｉｎ，Ｙｏｕｔ））
Ｂｏｕｔ＝ｆ７（Ｂｉｎ，ｆ８（Ｂｉｎ，Ｙｏｕｔ））
ここで、ｆ４、ｆ６、およびｆ８は、１組の入力ピクセル値および計算されたＹｏｕｔ値（ここで、Ｙｏｕｔは、入力される原色ピクセル値の組から求められる輝度である）に関する出力される原色をそれぞれ定義する特徴付け関数であり、ｆ３、ｆ５、およびｆ７はそれぞれ、特徴付け関数の１つによって決定される入力された原色と出力される原色の非線形結合関数である。
【００６９】
無彩色ＬＣＤパネルのサブピクセル制御（例えば、「サブピクセル」と呼ぶ無彩色ＬＣＤパネルのピクセルは、カラーＬＣＤパネルのピクセルよりも小さい）を使用して、無彩色ＬＣＤパネルの使用によって生じる視差を平滑化することができる。サブピクセル制御は、無彩色パネルの実効解像度を高めるので、平滑化／ディザリング操作をより洗練させ、正確にすることができる。これは、例えば、以下のような無彩色パネルへの駆動画像に対する平滑化マスクを使用して実施することができる。
【００７０】
［Ｓｍｏｏｔｈｅｄ  ｄｒｉｖｅａｃｈｒｏｍａｔｉｃ  ｐａｎｅｌ］（ｉ，ｊ）＝ｆｉｎｔ  Ｒ（［ｄｒｉｖｅａｃｈｒｏｍａｔｉｃ  ｐａｎｅｌ］（ｉ，ｊ））
ここで、ｆｉｎｔ  Ｒは、無彩色パネルのＲサブピクセルの空間半径に対して適用される平滑化演算子である。カラーＬＣＤパネル上の各ピクセルに対応する無彩色パネルの４つのピクセル（サブピクセルと呼ぶ）を有する構成において、適用されるクワッド設計は、幅方向と高さ方向との両方に沿って、無彩色パネルの解像度を画像生成（カラーＬＣＤ）パネルの解像度の２倍に高める。
【００７１】
一実施形態では、ソース画像は、無彩色パネルを変調するために非線形関数によって処理することができる。これは、認識されるコントラスト拡張効果を生み出すことができる。既存のトーンマッピングアルゴリズムは、コントラストを拡張するために、ソフトウェアアルゴリズムのみに依拠する。
【００７２】
本発明のいくつかの実施形態は、ＲＧＢ個別制御式の三刺激ベースのバックライト（例えば、エッジライト式構成、直下式アレイ、または他の構成で配置されたＬＥＤ）を使用する。ＲＧＢ個別制御式の三刺激ＬＥＤバックライトに現行駆動値をスケーリングすることにより、表現される色の輝度対色度の３Ｄ表面を調節することができる。輝度制御は、主に、減光面、およびＬＥＤバックライトと減光面の組合せからのものであり、ＬＥＤへのカラー駆動値のスケーリングは、より高い輝度値でのより広い色域を可能にする。目標ディスプレイ輝度に関して、輝度と現行の特徴付けとの関係を表す曲線を使用して、その目標輝度での色域のより良い制御のために設計された現行駆動値に関する正しいスケーリングパラメータを決定／生成することができる。これは、全域的バックライト制御装置の実施形態に関する基礎となる。
【００７３】
全域的バックライト制御装置の実施形態は、例えば、カラーＬＣＤおよび減光面に関連付けてエッジライト式の区域的減光バックライトを形成するように近接して配置された複数のＬＥＤ上で使用することができる。複数のＬＥＤを一度に作動させることにより、全域的バックライト制御装置の実施形態はまた、ある区域からの光の出力波長のドリフトを輝度に関して補正し、より高い波長でより正確な色特性を保つために使用することもできる。
【００７４】
本発明のいくつかの実施形態は、疎らな（ｓｐａｒｓｅ）測定データセットからの原色回転行列の計算を含む。ディスプレイシステムへの入力画像として疎らな１組の三刺激原色（Ｒ、Ｇ、Ｂ）を仮定すると、上記の疎らな１組での各三つ組の入力ＲＧＢ値を、ディスプレイのカラーＬＣＤパネルに関する対応する１組の駆動値（ＸＹＺ）に変換するために、色回転行列（例えば、最適色回転行列）が決定される。行列は、予め決定することができ、次いでルックアップテーブル（ＬＵＴ）として実装され、その後、ディスプレイ駆動値の演算中に使用されて、１組の入力ＲＧＢ値（および入力ＲＧＢ値から決定される無彩色パネル駆動値）に応答して、ディスプレイのカラーＬＣＤパネルに関する１組の駆動値を生成する。例えば、１組の入力ＲＧＢ値（およびそこから決定される無彩色パネル駆動値）に応答してカラーＬＣＤパネル用の１組の駆動値を（ＬＵＴから）読み取る操作は、回転行列との（ＬＵＴへの入力の）乗算に相当することがある。
【００７５】
計算される色回転行列は、図４Ｃまたは図４Ｄのモジュール４７４によって、または図４Ａの制御装置モジュール４１０によって、または図４Ｂの制御装置モジュール４６２によって、または２０１１年４月２８日出願の米国仮特許出願第６１／４７９９５８号明細書に記載されている任意のタイプのＬＵＴまたは処理装置によって実装することができ、好ましくは、行列を決定するために測定されているサンプルデータ点の数を前提として、出力される色空間内での最小二乗色歪みに関して最適化される。より均等に間隔を空けられたデータ点を仮定すると、計算される色回転行列は、ディスプレイによる真の回転操作のより正確な表現となる。
【００７６】
色回転行列は、ディスプレイでの予備測定の結果として決定することができ、予備測定において、ディスプレイが（例えば一定の既知のバックライトを用いて）背面照明され、疎らな１組の三つ組の入力色値（Ｒｉｎ、Ｇｉｎ、およびＢｉｎ）によって駆動され、各三つ組の入力色値から三つ組の無彩色パネル駆動値（Ｐ１、Ｐ２、およびＰ３）が決定され、各三つ組の入力色値（Ｒｉｎ、Ｇｉｎ、Ｂｉｎ）および対応する１組の無彩色パネル駆動値（Ｐ１、Ｐ２、Ｐ３）に応答するディスプレイによって放出される実際の色が測定され、その１組の入力色値および対応する１組の無彩色パネル駆動値に応答する目標（所望）の１組の色と比較される。測定の結果、色回転行列は、三つ組の入力色値（Ｒｉｎ、Ｇｉｎ、およびＢｉｎ）および対応する三つ組の無彩色パネル駆動値（Ｐ１、Ｐ２、およびＰ３）を係数として有するベクトルと行列乗算されたときに、補正されたカラーＬＣＤパネル駆動値（Ｒｏｕｔ、Ｇｏｕｔ、およびＢｏｕｔ）および無彩色パネル駆動値（Ｐ１、Ｐ２、およびＰ３）を決定する行列となるように決定することができ、駆動値は、三つ組の入力色値（Ｒｉｎ、Ｇｉｎ、およびＢｉｎ）によって決定される目標の色を表示するようにディスプレイを駆動する。
【００７７】
フルセットの三つ組の入力色値（Ｒｉｎ、Ｇｉｎ、およびＢｉｎ）と、各三つ組の入力色値によって決定された三つ組の無彩色パネル駆動値（Ｐ１、Ｐ２、およびＰ３）とのそれぞれに応答して色回転行列によって決定された１組のカラーパネル駆動値（Ｒｏｕｔ、Ｇｏｕｔ、およびＢｏｕｔ）は、カラー駆動ＬＵＴに記憶することができる。カラー駆動ＬＵＴは、図４Ｃまたは図４Ｄのモジュール４７４において、または図４Ａの制御装置モジュール４１０によって、または図４Ｂの制御装置モジュール４６２によって、または２０１１年４月２８日出願の米国仮特許出願第６１／４７９９５８号明細書に記載されている任意のタイプのＬＵＴによって実装することができる。カラー駆動ＬＵＴを生成するために、（疎らな１組の三つ組の入力画像色値および対応する三つ組の無彩色パネル駆動値から）疎らな１組の補正されたカラーパネル駆動値を決定することができ、次いで、それに対して補間を行うことができ、（例えば、入力色値Ｒｉｎ、Ｇｉｎ、およびＢｉｎの取り得る各組ごとに、三つ組の出力カラーパネル駆動値Ｒｏｕｔ、Ｇｏｕｔ、およびＢｏｕｔを含む）フルセットの補正されたカラーパネル駆動値を生成し、次いで、そのフルセットをカラー駆動ＬＵＴにロードすることができる。
【００７８】
本発明によるディスプレイの他の実施形態では、カラーパネル駆動値は、カラー駆動ＬＵＴから読み取る以外の形で、入力画像ピクセルに応答して生成または提供される（例えば、行列乗算によってオンザフライで（ｏｎ  ｔｈｅ  ｆｌｙ）計算される）。
【００７９】
本発明によるディスプレイのいくつかの実施形態は、ディスプレイのカラーＬＣＤパネルおよび無彩色ＬＣＤパネルに関する駆動信号を生成するために、２０１１年４月２８日出願の米国仮特許出願公第６１／４７９９５８号明細書に記載されている任意のタイプの制御装置を含むことができる。そのような制御装置は、典型的には、入力画像ピクセル（三つ組の色値Ｒｉｎ、Ｇｉｎ、およびＢｉｎによって決定された各入力画像ピクセル）に応答して無彩色ＬＣＤパネルおよびカラーＬＣＤパネル用の駆動値を生成し、ピクセルごとに演算を行い、無彩色ＬＣＤパネルの各ピクセルごとに単一の無彩色駆動値を生成し、それにより、（無彩色ＬＣＤパネルの各ピクセルが３つのセルを備える場合には）無彩色ＬＣＤパネルのピクセルの各セルが同じ無彩色駆動信号によって駆動される（Ｐ１＝Ｐ２＝Ｐ３＝Ｐ）。
【００８０】
本発明によるディスプレイの図５の実施形態は、個別に変調されるバックライト光源のアレイを備える変調型のバックライト７０１を備えるバックライトアセンブリを含む。好ましくは、バックライト７０１は、ＬＥＤのアレイ（例えば、図６に示されるようにエッジライト式構成での１９２個のＲＧＢ  ＬＥＤ）、およびＬＥＤを駆動するための制御装置（図６の要素８０４および８６）として実装される。ＬＥＤ（図６に示されるように、９２個のＬＥＤの上縁部アレイ７０２、および９２個のＬＥＤの下縁部アレイ７０３）が、導波路（図６の要素８０３）の縁部を照明して、（無彩色ＬＣＤパネルに面する）バックライト７０１の前面に、一様な平坦な白色フィールドを生成する。ＬＥＤドライバカード（例えば、図６に示されるように、処理装置８０４からの制御値に応答するＣＡＴ１０４２  ＬＥＤドライバカード８０６）は、ＲＧＢ  ＬＥＤ原色に対する区域的制御を提供することができる。１９２個のＲＧＢ  ＬＥＤが１６組で制御されるとき、上縁部および下縁部に沿った１２の制御区域があり、それにより、バックライトに関するカスタム白色点を生成して、スクリーンの前面での色の不均一性を補正することができるようになる。
【００８１】
バックライト７０１は、２０１０年９月１５日出願の米国特許出願公開第１２／８８２，８２５号明細書に記載されているタイプの区域的エッジライト式バックライトユニットとして実装することができ、ディスプレイパネルの縁部に沿って配置された個別に制御可能なＬＥＤと、ＬＥＤからの光をディスプレイパネルのピクセルの区域に方向付けるサブシステムとを含む。米国特許出願公開第１２／８８２，８２５号明細書の本文および開示全体を、参照により本明細書に組み込む。バックライト７０１から放出された光は、無彩色ＬＣＤパネル（図６のパネル８０７、または図５に示されるように要素７１２、７１４、および７１６を備えるＬＣＤパネル）のＬＣＤセルを背面照明する働きをする。
【００８２】
反射器７００が、バックライト７０１の後方（下流）に配置されて、バックライト７０１から放出されたバックライトを無彩色ＬＣＤパネルに向けて反射することによって、バックライトアセンブリの効率を改良する。反射器７００は、好ましくは、３Ｍ社から市販されている「Ｖｉｋｕｉｔｉ（商標）ＥＳＲ」フィルムとして知られている市販のＥＳＲなど、機能向上型の鏡面反射フィルム（ＥＳＲ）として実装される。
【００８３】
バルク拡散器７０４が、バックライト７０１からの光を拡散し、好ましくは、その光を一様に平坦なフィールドにする。図５に示される要素は、ハウジング（図示せず）内に取り付けられる。
【００８４】
明るさ向上フィルム（ＢＥＦ）７０６およびＢＥＦ７０８が、拡散器７０４と無彩色ＬＣＤパネルとの間に配置される。ＢＥＦ７０６とＢＥＦ７０８は、典型的には同一のＢＥＦであり、（垂直軸を有する）それぞれ実質的に平坦な主面と、垂直軸に直交する第１の表面軸（「Ｘ」表面軸）に平行に配置された反射フィーチャ（例えばリッジ）とを有する。ＢＥＦ７０６とＢＥＦ７０８は、それらの主面を互いに平行にして配置され、それらの「Ｘ」表面軸が互いに９０度ずれるように方向付けられる。この相対向きにより、ＢＥＦ７０６と７０８は、バルク拡散器７０４から伝送された光を効率的にコリメートする。
【００８５】
ＢＥＦ７０６は、好ましくは、図５のディスプレイの最左端側および最右端側からＢＥＦ７０６に入射する拡散光を折り曲げることによって、拡散器７０４からの拡散光をコリメートして、ＢＥＦ７０８に向けて光を伝播させるように方向付けられる（また、ＢＥＦ７０６は、そこに入射する他の拡散光をバックライト７０１に向けて反射して戻すか、コリメートせずに透過させる）。
【００８６】
ＢＥＦ７０８は、好ましくは、ＢＥＦ７０６を介し、次いで図５のディスプレイの最上端側および最下端側からＢＥＦ７０８に入射した光を折り曲げることによって、拡散器７０４からの光をさらにコリメートして、そのような光を無彩色ＬＣＤパネルに向けてディスプレイの光軸に少なくとも実質的に平行に伝播させるように方向付けられる。２つのＢＥＦフィルム７０６と７０８は、本明細書では、まとめて「クロスＢＥＦ」要素または「クロスＢＥＦコリメータ」とも呼ぶ。
【００８７】
反射偏光子７１０（いくつかの実施形態では、ＤＢＥＦ−Ｄフィルムとして実装される）が、クロスＢＥＦ要素と無彩色ＬＣＤパネルとの間に配置される。ＢＥＦ７０８から無彩色ＬＣＤパネルに向けて伝播するコリメートされた光は、偏光子７１０によって強い偏光バイアスを与えられ、偏光子７１０は、不正確に偏光された光をＢＥＦ７０６および７０８に向けて反射し返す。偏光子７１０は、偏光子７１０によって透過される光の偏光が偏光子７１２によって（無彩色ＬＣＤパネルのアレイ７１４に）透過される光の偏光と一致するように、（無彩色ＬＣＤパネルの）初期偏光子７１２に対して方向付けられるべきである。クロスＢＥＦ要素（７０６、７０８）は、反射偏光子７１０と共にレンズ効果を生み出し、この効果は、クロスＢＥＦ要素に鈍角で（バックライト７０１および拡散器７０４から）入射する光をコリメートして偏光し、（鈍角でない）他の角度でクロスＢＥＦ要素に入射した光をリサイクルして（拡散器７０４に向けて反射し返して）、光学スタックの全体的な効率を改良する。
【００８８】
デュアルＬＣＤパネルディスプレイにクロスＢＥＦコリメータ（例えばＢＥＦ７０６と７０８を備えるクロスＢＥＦ要素）と反射偏光子（例えば偏光子７０１）とを含めることは、クロスＢＥＦコリメータおよび反射偏光子を用いずに得ることができるものと比較して、クロスＢＥＦ要素および反射偏光子からディスプレイの無彩色ＬＣＤパネルに（例えば図５の無彩色ＬＣＤパネル要素７１２、７１４、および７１６に）アサートされる光のコリメーションを改良し（高め）、ディスプレイによって表示される画像の明るさを高め、さらに、ディスプレイによって表示される画像のコントラストも（例えば２倍に）高めることが観察されている。この効果は、クロスＢＥＦコリメータおよび反射偏光子が、ディスプレイのミッドストリーム拡散器（例えば、以下に述べる図５のホログラフィミッドストリーム拡散器７１８）に光を鈍角ではあまり入射させず、乱れた方向に散乱しないためと考えられる。また、典型的には、デュアルＬＣＤパネルディスプレイにクロスＢＥＦ要素および反射偏光子を含めると、暗くすべきディスプレイスクリーンの領域内に光があまり逃げないので、より広い角度で、知覚されるコントラストを高める。
【００８９】
図５の実施形態は、無彩色ＬＣＤパネル（「積層無彩色ＬＣＤスタック」と表される）を含み、これは、受動初期偏光子７１２と、受動検光偏光子７１６と、偏光子７１２と７１４の間にある能動要素パネル７１４（カラーフィルタなしのねじれネマティック液晶（「ＴＮ」）セルのアレイとして実装される）とを含む。また、無彩色ＬＣＤパネルは、バックライトに面する側に、反射偏光子（例えば、ＤＢＥＦ−Ｄフィルム）７１０を含む。要素７１０、７１２、７１４、および７１４は、好ましくは、図示される順序で一体に積層される。
【００９０】
無彩色ＬＣＤパネルを透過された光は、カラーＬＣＤパネル（「積層カラーＬＣＤスタック」と表される）に向けて伝播し、カラーＬＣＤパネルは、受動初期偏光子７２０と、受動検光偏光子７２４と、偏光子７２０と７２４の間にある能動要素パネル７２２（好ましくは、カラーフィルタの層を有するＴＮセルのアレイとして実装される）とを含む。要素７２０、７２２、および７２４は、好ましくは、一体に積層される。
【００９１】
図５の無彩色ＬＣＤパネルの偏光子７１２および７１６は、好ましくは高コントラスト偏光子であり、互いに対して９０度に方向付けられ、好ましくは、アレイ７１４のセルがＴＮセルであるときには、アレイ７１４の縁部に対して＋４５度または−４５度に方向付けられる（またはアレイ７１４のセルがインプレーンスイッチングまたは「ＩＰＳ」ＬＣＤセルであるときには、アレイ７１４の縁部に対して０度または９０度に方向付けられる）。偏光子７１２の向き設定は、偏光子７１６の向き設定に対して９０度回転すべきである。要素７１２および７１６の偏光の方向は、より高い駆動値に応答して光を透過し、より低い駆動値に応答して光を遮断する光変調器として無彩色ＬＣＤパネルを機能させるのに重要である。反射偏光子７１０、偏光子７１２、アレイ７１４、および偏光子７１６は、好ましくは、無彩色ＬＣＤパネルスタック内の異なる層間の空気ギャップを減少させるように、（示した順序で）一体に積層される。この積層ステップは、スタックのコントラスト比を約８％改良することが観察されている。
【００９２】
図５に示されるように、偏光保存拡散器７１８（好ましくは、ホログラフィ拡散器として実装される）が、無彩色ＬＣＤパネルとカラーＬＣＤパネルとの間に配置される。拡散器７１８は、無彩色ＬＣＤパネルから透過されたコリメートされた光を、その偏光を保ちながら拡散するように機能する。これは、光学アーチファクト、例えば色縁およびモアレパターンを防止する。偏光保存拡散器７１８が間に挟まれた（無彩色ＬＣＤパネルの）偏光子７１６と（カラーＬＣＤパネルの）偏光子７２０は、同じ偏光角であり、最大量の光がディスプレイを通過できるようにする。図５の２つのＬＣＤパネルの様々な偏光要素（７１２、７１６、７２０、および７２４）の適正な相対向きは、システムの適正な動作に重要である。
【００９３】
図５の構成によって得られる１つの大きな利点は、複数の層（要素７０４、７０６、７０８、７１８、ならびに無彩色ＬＣＤパネルおよびカラーＬＣＤパネル）が、光バッフルとして作用することである。視聴者側からディスプレイに入る任意の迷走光は、偏光子、カラーフィルタ、またはスタック内の他の層によって吸収される可能性が高い。これは、よく照明された視聴環境で黒色レベルを補助する暗い外観をディスプレイに与える。
【００９４】
図５のシステムは、典型的には、処理装置（例えば図６の処理装置８０４。これはＰＣでよい）および／または（１つまたは複数の）他の制御装置を使用し（含み、またはそれらに結合され）、バックライト７０１および２つのＬＣＤパネル用の制御信号を生成する。図６に示されるように、バックライト制御値は、処理装置８０４からバックライト制御装置ボード８０６（例えば、ＣＡＴ１０４２  ＬＥＤ制御装置ボード）に送信することができ、バックライト制御装置ボード８０６は、バックライト７０１のエッジライト式ＬＥＤ（７０２および７０３）を駆動する。処理装置８０４は、（そこに記憶された、またはそこにアサートされた）入力画像信号に応答して動作して、好ましくはリアルタイムでフレームごとに、無彩色ＬＣＤパネル（図６では無彩色ＬＣＤパネル８０７として識別される）のセルを駆動するための無彩色ＬＣＤパネル駆動値（例えば、図６に示されるように８ビットワード）を生成し、また、カラーＬＣＤパネル（図６ではカラーＬＣＤパネル８０８として識別される）のセルを駆動するためのカラーＬＣＤパネル駆動値（例えば、図６に示されるように８ビットワード）を生成する。図６に示されるように、ＬＣＤパネル駆動値は、処理装置８０４からタイミング制御装置８０５にアサートされ、タイミング制御装置８０５は、駆動値に応答して、駆動信号を生成（して、パネル８０７および８０８にアサート）する。本発明によるデュアルＬＣＤパネルディスプレイのいくつかの実施形態では、ディスプレイのカラーＬＣＤパネルおよび無彩色ＬＣＤパネル用の駆動値を生成するために、処理装置８０４は、２０１１年４月２８日出願の米国仮特許出願第６１／４７９９５８号明細書に記載されているＬＣＤパネル制御装置実施形態の任意のものを実装する。
【００９５】
次に、図７を参照して、本発明によるディスプレイの別の実施形態を説明する。本発明によるディスプレイの図７の実施形態は、図７のバックライトアセンブリが、一定バックライト光源８０２（好ましくはＣＣＦＬランプとして実装される）と、バックライト光源８０２の前方にある薄膜拡散器８０３と、バックライト光源８０２の後方（下流）にある反射器８００とを備える点で図５の実施形態とは異なる。反射器８００は、バックライト光源８０２から無彩色ＬＣＤパネルに向けて放出されるバックライトを反射することによって、バックライトアセンブリの効率を改良する。バックライトアセンブリ以外の図７におけるすべての要素は、図５において同一の番号を付された要素と同じであり、それらの説明は図７を参照して繰り返さない。制御装置（例えば、図６の制御装置要素８０４および８０５）が、図７の無彩色ＬＣＤパネルおよびカラーＬＣＤパネルを駆動するために採用される。図７の実施形態では、バックライト制御は必要とされない。
【００９６】
図８は、本発明によるデュアルＬＣＤパネルディスプレイの代替実施形態であり、カラーＬＣＤパネル（パネル９０３。本明細書では、時として「画像生成」パネルと呼ぶ）が、無彩色ＬＣＤパネル（パネル９０５）の上流に配置される。図８では、クロスＢＥＦコリメータ９０１が、バックライト９００とカラーＬＣＤパネル９０３との間に配置され、偏光保存拡散器９０４（好ましくは、ホログラフィ拡散器として実装される）が、カラーＬＣＤパネル９０３と無彩色ＬＣＤパネル９０５との間に配置される。カラーＬＣＤパネル９０３と無彩色ＬＣＤパネル９０５はそれぞれ、初期偏光子と検光偏光子との間に（ＬＣＤセルを含む）能動層を含む。カラーＬＣＤパネル９０３は、２つの偏光子（初期偏光子と検光偏光子）を含み、特定の偏光を有する光を透過し、偏光保存拡散器９０４は、この光の偏光を保ち、無彩色ＬＣＤパネル９０５（これも２つの偏光子、すなわち初期偏光子と検光偏光子を含む）が、偏光保存拡散器９０４によって拡散された光をさらに変調する。
【００９７】
図８の反射偏光子９０２（好ましくは、ＤＢＥＦ−Ｄフィルムとして実装される）は、クロスＢＥＦコリメータ９０１とカラーＬＣＤパネル９０３との間に配置される。クロスＢＥＦコリメータ９０１からカラーＬＣＤパネル９０３に向けて伝播するコリメートされた光は、反射偏光子９０２によって強い偏光バイアスを与えられ、反射偏光子９０２は、不正確に偏光された光をコリメータ９０１に向けて反射し返す。反射偏光子９０２は、反射偏光子によって透過される光の偏光が初期偏光子によって透過される光の偏光と一致するように、カラーＬＣＤパネル９０３の初期偏光子に対して方向付けられるべきである。好ましくは、クロスＢＥＦコリメータ９０１は、反射偏光子９０２と共にレンズ効果を生み出し、この効果は、クロスＢＥＦコリメータに鈍角で（バックライト９００から）入射する光をコリメートして偏光し、（鈍角でない）他の角度でクロスＢＥＦコリメータ９０１に入射した光をリサイクルして（バックライト９００に向けて反射し返して）、光学スタックの全体的な効率を改良する。
【００９８】
本発明のいくつかの実施形態は、視野角を広げる。無彩色ＬＣＤパネルとして（赤色、緑色、または青色フィルタを有さない）従来のＬＣＤパネルを使用することは、各無彩色ＬＣＤパネルが、別の（カラーＬＣＤ）パネルと共に背面パネルまたは前面パネルとして使用されるときに、コントラスト強調のはるかに大きな解像度を可能にする。このさらなる解像度は、無彩色ＬＣＤパネルが異なる解像度を有するカラーＬＣＤパネルに結合されるときに、視覚アーチファクトを最小限に抑えながらディスプレイにわたる調節可能な視野角を可能にするので、さらに重要になる。
【００９９】
本発明によるディスプレイのいくつかの実施形態の無彩色ＬＣＤパネルが、正方形状での４つのクラスタ（カラーＬＣＤパネルの１つのピクセルと位置合わせされた無彩色パネルのサブピクセルの各２×２クラスタ）でのピクセル（同じ画像チェーン内のカラーＬＣＤパネルのピクセルよりも小さいので「サブピクセル」と呼ぶ）を有する場合、これは、水平方向でも垂直方向でも解像度を２倍にするので、より大きな制御が可能である。これらのサブピクセルクラスタが個別の制御点として処理される場合、画像スケーリングに関する既存の画像処理技術をこれらのサブピクセルクラスタに適用することができ、様々な視野角および距離を実現可能にする。視野角を拡げるために（例えば、複数の同時視聴者に対応するために）、（例えば、空間またはレンジフィルタリングを行うように構成された図４Ｃの双方向性フィルタリングモジュール４７８によって）無彩色パネル駆動値にガウスフィルタまたは同様のローパスフィルタを適用することができる。
【０１００】
いくつかの実施形態では、本発明によるディスプレイは、無彩色ＬＣＤパネルおよびカラーＬＣＤパネルに加えて変調器を含む。例えば、１つのそのようなディスプレイは、３つの変調ＬＣＤパネル（例えば、２つの無彩色ＬＣＤパネルと、１つのカラーＬＣＤパネル）を含む。例えば、図５（または図７）のカラーＬＣＤパネル７２４と視聴者との間にある追加の制御可能な偏光子アレイが、ディスプレイの出力での光を様々な偏光角で直線状または円状に操縦する。３Ｄ偏光眼鏡に関連付けてそのようなディスプレイシステムを使用することによって、表示された物体を、追加の制御可能な偏光子アレイに関する変調駆動値に基づいて視聴者の左目または右目に操縦することができる。立体視駆動層は、単独で、または同時に、従来の２次元コンテンツと共に空間、時間、または色ベースの立体視技法を使用して、多くの異なる様式の任意のもので駆動することができる。
【０１０１】
典型的な実施形態では、本発明によるデュアルＬＣＤパネルディスプレイは、カラーＬＣＤパネルと、少なくとも１つの無彩色ＬＣＤパネルと、バックライトと、バックライトと無彩色ＬＣＤパネルとの間にあるクロスＢＥＦ（「明るさ向上フィルム」）コリメータと、無彩色ＬＣＤパネルとカラーＬＣＤパネルとの間にある偏光保存拡散器とを含む。より一般的には、本発明の他の実施形態は、画像生成パネル（例えばカラーＬＣＤパネル。しかし代替として別の画像生成パネル）と、少なくとも１つのコントラスト強調パネル（例えば少なくとも１つの無彩色ＬＣＤパネル。しかし代替として別のコントラスト強調パネル）と、バックライトと、コントラスト強調パネルと画像生成パネルとの間にある偏光保存拡散器と、バックライトと画像生成パネルおよびコントラスト強調パネルの一方との間にあるクロスＢＥＦ（「明るさ向上フィルム」）コリメータとを含むデュアルパネルディスプレイである。コントラスト強調パネルおよび画像生成パネルはそれぞれ、初期偏光子と検光偏光子との間に能動層（光を変調するために駆動することができる）を含む。したがって、典型的な実施形態では、コントラスト強調パネルは、２つの偏光子（初期偏光子と検光偏光子）を含み、特定の偏光を有する光を透過し、偏光保存拡散器は、この光の偏光を保ち、画像生成パネル（これも２つの偏光子、すなわち初期偏光子と検光偏光子を含む）が、偏光保存拡散器によって拡散された光をさらに変調する。いくつかの他の実施形態では、２つのパネルの位置が逆であり、したがって、画像生成パネルがコントラスト強調パネルの上流にある。
【０１０２】
好ましくは、コントラスト強調パネルは、（コントラスト強調パネルがバックライトと画像生成パネルとの間にあるという意味合いで）画像生成パネルの上流に配置され、反射偏光子（いくつかの実施形態では、ＤＢＥＦ−Ｄフィルムとして実装される）が、クロスＢＥＦコリメータとコントラスト強調パネルとの間に配置される。クロスＢＥＦコリメータからコントラスト強調パネルに向かって伝播するコリメートされた光は、反射偏光子によって強い偏光バイアスを与えられ、反射偏光子は、不正確に偏光された光をクロスＢＥＦコリメータに向けて反射し返す。反射偏光子は、反射偏光子によって透過される光の偏光が初期偏光子によって透過される光の偏光と一致するように、コントラスト強調パネルの初期偏光子に対して方向付けられるべきである。好ましくは、クロスＢＥＦコリメータは、反射偏光子と共にレンズ効果を生み出し、この効果は、クロスＢＥＦコリメータに鈍角で（バックライトから）入射する光をコリメートして偏光し、（鈍角でない）他の角度でクロスＢＥＦコリメータに入射した光をリサイクルして（バックライトに向けて反射し返して）、光学スタックの全体的な効率を改良する。代替として、画像生成パネルがコントラスト強調パネルの上流にある実施形態では、反射偏光子は、クロスＢＥＦコリメータと画像生成パネルとの間に配置される。
【０１０３】
前の２つの段落で述べた実施形態の広範な形態において、両方のパネルが画像を生成し、両方のパネルが、表示用の最終的な画像にコントラストを与えることを理解すべきである。画像生成パネルは、典型的には、フィルタリングと明るさ変調との組合せによって色およびコントラストを与え、コントラスト強調パネルは、典型的には、明るさ変調によってコントラストを与え、またはコントラストを向上させる。また、上述した実施形態に対する変形形態では、コントラスト強調パネルがカラーフィルタリングも含むことができ、あるいは、コントラスト強調パネルと画像生成パネルの一方または両方における機能の他の変形形態を実装することもできることを理解すべきである。
【０１０４】
図５、図６、図７、および図８それぞれのカラーＬＣＤパネルは、画像生成パネルの一例であり（本発明のいくつかの実施形態では、カラーＬＣＤパネルでない画像生成パネルで置き換えられ）、図５、図６、図７、および図８それぞれの無彩色ＬＣＤパネルは、コントラスト強調パネルの一例であり、本発明のいくつかの実施形態では、無彩色ＬＣＤパネルでないコントラスト強調パネルによって置き換えられることを理解すべきである。
【０１０５】
図面に示した本発明の好ましい実施形態の説明では、分かりやすくするために特定の用語が採用されている。しかし、本発明は、そのようにして選択されている特定の用語に限定する意図はなく、各特定の要素が、同様に動作するすべての技術的な均等物を含むことを理解されたい。さらに、説明した部分の代わりに、現在知られていない新規に開発される技術も使用することができ、それでも本発明の範囲から逸脱しないと本発明者は認識している。限定はしないが、パネル、ＬＣＤ、偏光子、制御可能なパネル、ディスプレイ、フィルタ、ガラス、ソフトウェア、および／またはアルゴリズムなどを含むすべての他の説明した要素も、あらゆる利用可能な均等物に鑑みて考察すべきである。
【０１０６】
本発明は、適切には、本明細書で述べたような要素（本発明の様々な部分または特徴）およびそれらの均等物を備える、それらからなる、またはそれらから本質的になることがある。さらに、本明細書で例示的に開示した本発明は、本明細書に具体的に開示したか否かに関わらず、任意の要素がなくても実施することができる。上の教示に鑑みれば、明らかに、本発明の多くの修正形態および変形形態が可能である。したがって、添付の特許請求の範囲内で、本明細書に具体的に記載した以外の形で本発明を実施することもできることを理解されたい。
【誤訳訂正３】
【訂正対象書類名】図面
【訂正対象項目名】図４Ａ
【訂正方法】変更
【訂正の内容】
【図４Ａ】
2014517931.tif 000001
【誤訳訂正４】
【訂正対象書類名】図面
【訂正対象項目名】図４Ｂ
【訂正方法】変更
【訂正の内容】
【図４Ｂ】
2014517931.tif 000002
【誤訳訂正５】
【訂正対象書類名】図面
【訂正対象項目名】図４Ｃ
【訂正方法】変更
【訂正の内容】
【図４Ｃ】
2014517931.tif 000003
【誤訳訂正６】
【訂正対象書類名】図面
【訂正対象項目名】図４Ｄ
【訂正方法】変更
【訂正の内容】
【図４Ｄ】
2014517931.tif 000004
【誤訳訂正７】
【訂正対象書類名】図面
【訂正対象項目名】図５
【訂正方法】変更
【訂正の内容】
【図５】
2014517931.tif 000005
【誤訳訂正８】
【訂正対象書類名】図面
【訂正対象項目名】図６
【訂正方法】変更
【訂正の内容】
【図６】
2014517931.tif 000006
【誤訳訂正９】
【訂正対象書類名】図面
【訂正対象項目名】図７
【訂正方法】変更
【訂正の内容】
【図７】
2014517931.tif 000007
【誤訳訂正１０】
【訂正対象書類名】図面
【訂正対象項目名】図８
【訂正方法】変更
【訂正の内容】
【図８】
2014517931.tif 000008